(57)【要約】  本開示は、化学的に異なる水溶性フィルムの組み合わせから作製され、任意に、少なくとも１つの区画内の水溶性フィルムによって少なくとも部分的に封入されている組成物を含む、水溶性単位用量物品に関する。【特許請求の範囲】
【請求項１】
少なくとも１つの封止区画を含む水溶性単位用量物品であって、前記水溶性単位用量物品が、
第１の水溶性樹脂を含む第１の水溶性フィルムと、
第２の水溶性樹脂を含む第２の水溶性フィルムと、を含み、
前記第１のフィルムが、前記第２のフィルムに封止されて、前記少なくとも１つの封止区画を形成し、
前記第１の水溶性樹脂が、少なくとも１つのポリビニルアルコールホモポリマー、または少なくとも１つのポリビニルアルコールコポリマー、またはそれらのブレンドを含み、前記少なくとも１つのポリビニルアルコールホモポリマー、または少なくとも１つのポリビニルアルコールコポリマー、またはそれらのブレンドが、約８ｃＰ〜約４０ｃＰ、または約１２ｃＰ〜約３０ｃＰ、または約１４ｃＰ〜約２５ｃＰの範囲の２５℃での脱塩水中の４％溶液粘度を有し、
前記第２の水溶性樹脂が、少なくとも１つのポリビニルアルコールホモポリマー、または少なくとも１つのポリビニルアルコールコポリマー、またはそれらのブレンドを含み、前記少なくとも１つのポリビニルアルコールホモポリマー、または少なくとも１つのポリビニルアルコールコポリマー、またはそれらのブレンドが、約４ｃＰ〜約３５ｃＰ、または約１０ｃＰ〜約２０ｃＰ、または約１０ｃＰ〜約１５ｃＰ、または約１２ｃＰ〜約１４ｃＰの範囲の２５℃での脱塩水中の４％溶液粘度を有し、
前記第１の水溶性樹脂の前記少なくとも１つのポリビニルアルコールホモポリマー、または前記少なくとも１つのポリビニルアルコールコポリマー、または前記それらのブレンドの２５℃での脱塩水中の前記４％溶液粘度が、前記第２の水溶性樹脂の前記少なくとも１つのポリビニルアルコールホモポリマー、または前記少なくとも１つのポリビニルアルコールコポリマー、または前記それらのブレンドの２５℃での脱塩水中の前記４％溶液粘度よりも大きく、かつ前記第１の水溶性樹脂の前記少なくとも１つのポリビニルアルコールホモポリマー、または前記少なくとも１つのポリビニルアルコールコポリマー、または前記それらのブレンドの２５℃での脱塩水中の前記４％溶液粘度と前記第２の水溶性樹脂の前記少なくとも１つのポリビニルアルコールホモポリマー、または前記少なくとも１つのポリビニルアルコールコポリマー、または前記それらのブレンドの２５℃での脱塩水中の４％溶液粘度との間の差が、約２ｃＰ〜約２０ｃＰ、または約３ｃＰ〜約１５ｃＰ、または約４ｃＰ〜約１２ｃＰであり、
但し、前記封止区画が、布地ケアまたは家庭用ケア組成物を含み、かつフィルムが、ポリビニルアルコールホモポリマー樹脂とアニオン性ポリビニルアルコールコポリマー樹脂とのブレンドを含む場合には、前記第１の水溶性フィルムおよび前記第２の水溶性フィルムの両方が、６５重量％以上のアニオン性ポリビニルアルコールコポリマー樹脂を含むブレンドを含むことを条件とし、
但し、前記封止区画が、布地ケアまたは家庭用ケア組成物を含み、かつフィルムが、少なくとも２つのアニオン性ポリビニルアルコールコポリマー樹脂のブレンドを含む場合には、前記第１の水溶性フィルムおよび前記第２の水溶性フィルムの両方が、少なくとも２つのアニオン性ポリビニルアルコールコポリマー樹脂のブレンドを含むことを条件とする、水溶性単位用量物品。
【請求項２】
前記第１の水溶性フィルムが、前記水溶性単位用量物品に組み込む前に、熱成形されている、請求項１に記載の水溶性単位用量物品。
【請求項３】
前記第２の水溶性フィルムが、前記水溶性単位用量物品に組み込む前に、熱成形されていない、請求項１〜２のいずれか一項に記載の水溶性単位用量物品。
【請求項４】
前記第１の水溶性樹脂が、ポリビニルアルコールホモポリマーとポリビニルアルコールコポリマーとのブレンドを含む、請求項１〜３のいずれ一項に記載の水溶性単位用量物品。
【請求項５】
前記第２の水溶性樹脂が、ポリビニルアルコールホモポリマーとポリビニルアルコールコポリマーとのブレンドを含む請求項１〜４のいずれか一項に記載の水溶性単位用量物品。
【請求項６】
前記第１の水溶性樹脂が、ポリビニルアルコールホモポリマーと、アニオン性モノマー単位を含むポリビニルアルコールコポリマーとのブレンドを含む、請求項１〜５のいずれ一項に記載の水溶性単位用量物品。
【請求項７】
前記第１の水溶性樹脂が、前記第１の水溶性樹脂の６５重量％以上の、アニオン性モノマー単位を含む前記ポリビニルアルコールコポリマーを含む、請求項６に記載の水溶性単位用量物品。
【請求項８】
前記第１の水溶性樹脂が、前記第１の水溶性樹脂の約１％〜約７０重量％の、アニオン性モノマー単位を含む前記ポリビニルアルコールコポリマーと、前記第１の水溶性樹脂の約３０％〜約９９重量％の前記ポリビニルアルコールホモポリマーと、を含む、請求項６に記載の水溶性単位用量物品。
【請求項９】
前記第１の水溶性樹脂が、前記第１の水溶性樹脂の約１０重量％〜約７０重量％、または約１５重量％〜約６５重量％、または約２０重量％〜約５０重量％、または約３０重量％〜約４０重量％の、アニオン性モノマー単位を含む前記ポリビニルアルコールコポリマーを含む、請求項８に記載の水溶性単位用量物品。
【請求項１０】
前記第２の水溶性樹脂が、ポリビニルアルコールホモポリマーと、アニオン性モノマー単位を含むポリビニルアルコールコポリマーとのブレンドを含む、請求項１〜９のいずれ一項に記載の水溶性単位用量物品。
【請求項１１】
前記第１の水溶性樹脂が、前記第１の水溶性樹脂の６５重量％以上の、アニオン性モノマー単位を含む前記ポリビニルアルコールコポリマーを含む、請求項１０に記載の水溶性単位用量物品。
【請求項１２】
前記第２の水溶性樹脂が、前記第２の水溶性樹脂の１重量％〜約７０重量％の、アニオン性モノマー単位を含む前記ポリビニルアルコールコポリマーと、前記第２の水溶性樹脂の約３０重量％〜約９９重量％の前記ポリビニルアルコールホモポリマーと、を含む、請求項１１に記載の水溶性単位用量物品。
【請求項１３】
前記第２の水溶性樹脂が、前記第２の水溶性樹脂の約１０重量％〜約７０重量％、または約１５重量％〜約６５重量％、または約２０重量％〜約５０重量％、または約３０重量％〜約４０重量％の、アニオン性モノマー単位を含む前記ポリビニルアルコールコポリマーを含む、請求項１２に記載の水溶性単位用量物品。
【請求項１４】
前記アニオン性モノマー単位が、ビニル酢酸、アクリル酸アルキル、マレイン酸、マレイン酸モノアルキル、マレイン酸ジアルキル、マレイン酸モノメチル、マレイン酸ジメチル、無水マレイン酸、フマル酸、フマル酸モノアルキル、フマル酸ジアルキル、フマル酸モノメチル、フマル酸ジメチル、無水フマル酸、イタコン酸、イタコン酸モノメチル、イタコン酸ジメチル、無水イタコン酸、シトラコン酸、シトラコン酸モノアルキル、シトラコン酸ジアルキル、無水シトラコン酸、メサコン酸、メサコン酸モノアルキル、メサコン酸ジアルキル、無水メサコン酸、グルタコン酸、グルタコン酸モノアルキル、グルタコン酸ジアルキル、無水グルタコン酸、ビニルスルホン酸、アルキルスルホン酸、エチレンスルホン酸、２−アクリルアミド−１−メチルプロパンスルホン酸、２−アクリルアミド−２−メチルプロパンスルホン酸、２−メチルアクリルアミド−２−メチルプロパンスルホン酸、２−スルホエチルアクリレート、それらのアルカリ金属塩、それらのエステル、およびそれらの組み合わせから誘導されるアニオン性モノマーからなる群から選択される、請求項６〜１３のいずれか一項に記載の水溶性単位用量物品。
【請求項１５】
前記アニオン性モノマー単位が、マレイン酸、マレイン酸モノアルキル、マレイン酸ジアルキル、無水マレイン酸、それらのアルカリ金属塩、それらのエステル、およびこれらの組み合わせから誘導されるアニオン性モノマー単位からなる群から選択される、請求項１４に記載の水溶性単位用量物品。
【請求項１６】
前記アニオン性モノマー単位が、マレイン酸、マレイン酸モノメチル、マレイン酸ジメチル、無水マレイン酸、それらのアルカリ金属塩、それらのエステル、およびこれらの組み合わせから誘導されるアニオン性モノマー単位からなる群から選択される、請求項１５に記載の水溶性単位用量物品。
【請求項１７】
前記ポリビニルアルコールコポリマー（複数可）が、独立して、存在する総ポリビニルアルコールコポリマーに対して、約２モル％〜約８モル％、または約３モル％〜約５モル％、または約１モル％〜約４モル％の前記アニオン性モノマー単位を含む、請求項６〜１６のいずれか一項に記載の水溶性単位用量物品。
【請求項１８】
前記水溶性単位用量物品が、パウチであり、約２０００Ｎ未満、または約１０００Ｎ未満、または約８５０Ｎ未満、または約７５０Ｎ未満の、本明細書に記載のパウチ強度試験によるパウチ強度を有する、請求項１〜１７のいずれか一項に記載の水溶性単位用量物品。
【請求項１９】
前記第１の水溶性フィルムおよび前記第２の水溶性フィルムが、それぞれ独立して、前記フィルムの約３０重量％〜約９０重量％、または約４０重量％〜約８０重量％、または約５０重量％〜約７５重量％、または約６０重量％〜約７０重量％の前記水溶性樹脂を含む、請求項１〜１８のいずれか一項に記載の水溶性単位用量物品。
【請求項２０】
前記第１の水溶性フィルムおよび前記第２の水溶性フィルムが、それぞれ独立して、約４０ミクロン〜約１００ミクロン、または約６０ミクロン〜約９０ミクロン、または約７０ミクロン〜約８０ミクロンの、前記水溶性単位用量物品への組み込み前の厚さを有する、請求項１〜１９のいずれか一項に記載の水溶性単位用量物品。
【請求項２１】
前記第１の水溶性フィルムおよび前記第２の水溶性フィルムが、それぞれ独立して、約３００秒以下、または約２４０秒以下、または約１８０秒以下の、ＭｏｎｏＳｏｌ試験方法ＭＳＴＭ−２０５による、約７６ミクロンの厚さを有するフィルムに関して、２０℃の温度の水中で、前記水溶性単位用量物品への組み込み前の溶解時間を有する、請求項１〜２０のいずれか一項に記載の水溶性単位用量物品。
【請求項２２】
前記水溶性単位用量物品が、約６．２未満、または約６未満、または約５．８未満の、本明細書に記載のパウチ溶解試験方法による平均対数（残留領域）を有する、請求項１〜２１のいずれか一項に記載の水溶性単位用量物品。
【請求項２３】
前記第１の水溶性フィルムと前記第２の水溶性フィルムとの間の厚さの差が、約５０％未満、または約３０％未満、または約２０％未満、または約１０％未満である、請求項１〜２２のいずれか一項に記載の水溶性単位用量物品。
【請求項２４】
前記第１の水溶性フィルムの前記厚さが、前記第２の水溶性フィルムの前記厚さと同じである、請求項１〜２３のいずれか一項に記載の水溶性単位用量物品。
【請求項２５】
前記水溶性単位用量物品が、パウチであり、少なくとも約３５０Ｎ未満、または少なくとも約４００Ｎ未満、または少なくとも約４５０Ｎ未満、または少なくとも約５００Ｎ未満の、本明細書に記載のパウチ強度試験によるパウチ強度を有する、請求項１〜２４のいずれか一項に記載の水溶性単位用量物品。
【請求項２６】
前記水溶性単位用量物品が、本明細書に記載の封止不良試験による０個の封止不良を有する、請求項１〜２５のいずれか一項に記載の水溶性単位用量物品。
【請求項２７】
前記第１の水溶性フィルムが、可塑剤をさらに含む、請求項１〜２６のいずれ一項に記載の水溶性単位用量物品。
【請求項２８】
前記第２の水溶性フィルムが、可塑剤をさらに含む、請求項１〜２７のいずれ一項に記載の水溶性単位用量物品。
【請求項２９】
前記可塑剤が、グリセリン、トリメチロールプロパン、ソルビトール、およびこれらの組み合わせからなる群から選択される、請求項２７または請求項２８に記載の水溶性単位用量物品。
【請求項３０】
前記第１の水溶性フィルムが、界面活性剤をさらに含む、請求項１〜２９のいずれ一項に記載の水溶性単位用量物品。
【請求項３１】
前記第２の水溶性フィルムが、界面活性剤をさらに含む、請求項１〜３０のいずれ一項に記載の水溶性単位用量物品。
【請求項３２】
前記界面活性剤が、ポリオキシエチレン化ポリオキシプロピレングリコール、アルコールエトキシレート、アルキルフェノールエトキシレート、第三級アセチレングリコール、アルカノールアミド、ポリオキシエチレン化アミン、第四級アンモニウム塩、四級化ポリオキシエチレン化アミン、アミンオキシド、Ｎ−アルキルベタイン、スルホベタイン、およびこれらの混合物からなる群から選択される、請求項３０または請求項３１に記載の水溶性単位用量物品。
【請求項３３】
前記第１の水溶性フィルムが、嫌悪剤をさらに含む、請求項１〜３２のいずれ一項に記載の水溶性単位用量物品。
【請求項３４】
前記第２の水溶性フィルムが、嫌悪剤をさらに含む、請求項１〜３３のいずれ一項に記載の水溶性単位用量物品。
【請求項３５】
前記水溶性単位用量物品が、少なくとも２つの封止区画、または少なくとも３つの封止区画を含む、請求項１〜３４のいずれ一項に記載の水溶性単位用量物品。
【請求項３６】
前記単位用量物品が、上部フィルム、中間フィルム、および下部フィルムを含み、前記上部フィルムおよび下部フィルムが、前記第１の水溶性フィルムを含み、前記中間フィルムが、前記第２の水溶性フィルムを含む、請求項３５に記載の水溶性単位用量物品。
【請求項３７】
前記第１の水溶性樹脂が、約８０％〜約９９％、または約８５％〜約９５％、または約８６％〜約９０％の範囲の加水分解度を有するポリビニルアルコールコポリマーを含む、請求項１〜３６のいずれ一項に記載の水溶性単位用量物品。
【請求項３８】
前記第２の水溶性樹脂が、約８０％〜約９９％、または約８５％〜約９５％、または約８６％〜約９０％の範囲の加水分解度を有するポリビニルアルコールコポリマーを含む、請求項１〜３７のいずれ一項に記載の水溶性単位用量物品。
【請求項３９】
前記第１の水溶性樹脂が、約８０％〜約９９％、または約８５％〜約９５％、または約８６％〜約９０％の範囲の加水分解度を有するポリビニルアルコールホモポリマーを含む、請求項１〜３８のいずれ一項に記載の水溶性単位用量物品。
【請求項４０】
前記第２の水溶性樹脂が、約８０％〜約９９％、または約８５％〜約９５％、または約８６％〜約９０％の範囲の加水分解度を有するポリビニルアルコールホモポリマーを含む、請求項１〜３９のいずれ一項に記載の水溶性単位用量物品。
【請求項４１】
少なくとも第１の水溶性樹脂を含む第１の水溶性フィルムと、第２の水溶性樹脂を含む第２の水溶性フィルムと、任意に単位用量物品内に含まれる組成物と、を含む単位用量物品の使用であって、前記第１の水溶性フィルムおよび前記第２の水溶性フィルムが、消費者の投入経験を改善するために、互いに化学的に異なり、
前記第１の水溶性樹脂が、少なくとも１つのポリビニルアルコールホモポリマー、または少なくとも１つのポリビニルアルコールコポリマー、またはそれらのブレンドを含み、前記少なくとも１つのポリビニルアルコールホモポリマー、または少なくとも１つのポリビニルアルコールコポリマー、またはそれらのブレンドが、約８ｃＰ〜約４０ｃＰ、または約１２ｃＰ〜約３０ｃＰ、または約１４ｃＰ〜約２５ｃＰの範囲の２５℃での脱塩水中の４％溶液粘度を有し、
前記第２の水溶性樹脂が、少なくとも１つのポリビニルアルコールホモポリマー、または少なくとも１つのポリビニルアルコールコポリマー、またはそれらのブレンドを含み、前記少なくとも１つのポリビニルアルコールホモポリマー、または少なくとも１つのポリビニルアルコールコポリマー、またはそれらのブレンドが、約４ｃＰ〜約３５ｃＰ、または約１０ｃＰ〜約２０ｃＰ、または約１０ｃＰ〜約１５ｃＰ、または約１２ｃＰ〜約１４ｃＰの範囲の２５℃での脱塩水中の４％溶液粘度を有し、
前記第１の水溶性樹脂の前記少なくとも１つのポリビニルアルコールホモポリマー、または前記少なくとも１つのポリビニルアルコールコポリマー、または前記それらのブレンドの２５℃での脱塩水中の前記４％溶液粘度が、前記第２の水溶性樹脂の前記少なくとも１つのポリビニルアルコールホモポリマー、または前記少なくとも１つのポリビニルアルコールコポリマー、または前記それらのブレンドの２５℃での脱塩水中の前記４％溶液粘度よりも大きく、かつ前記第１の水溶性樹脂の前記少なくとも１つのポリビニルアルコールホモポリマー、または前記少なくとも１つのポリビニルアルコールコポリマー、または前記それらのブレンドの２５℃での脱塩水中の前記４％溶液粘度と前記第２の水溶性樹脂の前記少なくとも１つのポリビニルアルコールホモポリマー、または前記少なくとも１つのポリビニルアルコールコポリマー、または前記それらのブレンドの２５℃での脱塩水中の４％溶液粘度との間の差が、約２ｃＰ〜約２０ｃＰ、または約３ｃＰ〜約１５ｃＰ、または約４ｃＰ〜約１２Ｃｐであり、
但し、前記組成物が、布地ケアまたは家庭用ケア組成物であり、かつフィルムが、ポリビニルアルコールホモポリマー樹脂とアニオン性ポリビニルアルコールコポリマー樹脂とのブレンドを含む場合には、前記第１の水溶性フィルムおよび前記第２の水溶性フィルムの両方が、６５重量％以上のアニオン性ポリビニルアルコールコポリマー樹脂を含むことを条件とし、
但し、前記組成物が、布地ケアまたは家庭用ケア組成物であり、かつフィルムが、少なくとも２つのアニオン性ポリビニルアルコールコポリマー樹脂のブレンドを含む場合には、前記第１の水溶性フィルムおよび前記第２の水溶性フィルムの両方が、少なくとも２つのアニオン性ポリビニルアルコールコポリマー樹脂のブレンドを含むことを条件とする、使用。
【請求項４２】
第１の水溶性樹脂を含む第１の水溶性フィルムおよび第２の水溶性樹脂を含む第２の水溶性フィルムの、任意に物品中に含まれる組成物を含む水溶性単位用量物品の製造における使用であって、前記第１の水溶性フィルムおよび前記第２の水溶性フィルムが、封止領域における封止強度を改善するために、前記封止領域に沿って一緒に封止され、
前記第１の水溶性樹脂が、少なくとも１つのポリビニルアルコールホモポリマー、または少なくとも１つのポリビニルアルコールコポリマー、またはそれらのブレンドを含み、前記少なくとも１つのポリビニルアルコールホモポリマー、または少なくとも１つのポリビニルアルコールコポリマー、またはそれらのブレンドが、約８ｃＰ〜約４０ｃＰ、または約１２ｃＰ〜約３０ｃＰ、または約１４ｃＰ〜約２５ｃＰの範囲の２５℃での脱塩水中の４％溶液粘度を有し、
前記第２の水溶性樹脂が、少なくとも１つのポリビニルアルコールホモポリマー、または少なくとも１つのポリビニルアルコールコポリマー、またはそれらのブレンドを含み、前記少なくとも１つのポリビニルアルコールホモポリマー、または少なくとも１つのポリビニルアルコールコポリマー、またはそれらのブレンドが、約４ｃＰ〜約３５ｃＰ、または約１０ｃＰ〜約２０ｃＰ、または約１０ｃＰ〜約１５ｃＰ、または約１２ｃＰ〜約１４ｃＰの範囲の２５℃での脱塩水中の４％溶液粘度を有し、
前記第１の水溶性樹脂の前記少なくとも１つのポリビニルアルコールホモポリマー、または前記少なくとも１つのポリビニルアルコールコポリマー、または前記それらのブレンドの２５℃での脱塩水中の前記４％溶液粘度が、前記第２の水溶性樹脂の前記少なくとも１つのポリビニルアルコールホモポリマー、または前記少なくとも１つのポリビニルアルコールコポリマー、または前記それらのブレンドの２５℃での脱塩水中の前記４％溶液粘度よりも大きく、かつ前記第１の水溶性樹脂の前記少なくとも１つのポリビニルアルコールホモポリマー、または前記少なくとも１つのポリビニルアルコールコポリマー、または前記それらのブレンドの２５℃での脱塩水中の前記４％溶液粘度と前記第２の水溶性樹脂の前記少なくとも１つのポリビニルアルコールホモポリマー、または前記少なくとも１つのポリビニルアルコールコポリマー、または前記それらのブレンドの２５℃での脱塩水中の４％溶液粘度との間の差が、約２ｃＰ〜約２０ｃＰ、または約３ｃＰ〜約１５ｃＰ、または約４ｃＰ〜約１２ｃＰであり、
但し、前記組成物が、布地ケアまたは家庭用ケア組成物であり、かつフィルムが、ポリビニルアルコールホモポリマー樹脂とアニオン性ポリビニルアルコールコポリマー樹脂とのブレンドを含む場合には、前記第１の水溶性フィルムおよび前記第２の水溶性フィルムの両方が、６５重量％以上のアニオン性ポリビニルアルコールコポリマー樹脂を含むことを条件とし、
但し、前記組成物が、布地ケアまたは家庭用ケア組成物であり、かつフィルムが、少なくとも２つのアニオン性ポリビニルアルコールコポリマー樹脂のブレンドを含む場合には、前記第１の水溶性フィルムおよび前記第２の水溶性フィルムの両方が、少なくとも２つのアニオン性ポリビニルアルコールコポリマー樹脂のブレンドを含むことを条件とする、使用。
【請求項４３】
単位用量物品を使用するためのプロセスであって、
ａ．少なくとも第１の水溶性樹脂を含む第１の水溶性フィルムと、第２の水溶性樹脂を含む第２の水溶性フィルムと、前記用量物品内に含まれる組成物とを含む、水溶性単位用量物品を得ることであって、前記第１の水溶性フィルムおよび前記第２の水溶性フィルムが互いに化学的に異なり、
前記第１の水溶性樹脂が、少なくとも１つのポリビニルアルコールホモポリマー、または少なくとも１つのポリビニルアルコールコポリマー、またはそれらのブレンドを含み、前記少なくとも１つのポリビニルアルコールホモポリマー、または少なくとも１つのポリビニルアルコールコポリマー、またはそれらのブレンドが、約８ｃＰ〜約４０ｃＰ、または約１２ｃＰ〜約３０ｃＰ、または約１４ｃＰ〜約２５ｃＰの範囲の２５℃での脱塩水中の４％溶液粘度を有し、
前記第２の水溶性樹脂が、少なくとも１つのポリビニルアルコールホモポリマー、または少なくとも１つのポリビニルアルコールコポリマー、またはそれらのブレンドを含み、前記少なくとも１つのポリビニルアルコールホモポリマー、または少なくとも１つのポリビニルアルコールコポリマー、またはそれらのブレンドが、約４ｃＰ〜約３５ｃＰ、または約１０ｃＰ〜約２０ｃＰ、または約１０ｃＰ〜約１５ｃＰ、または約１２ｃＰ〜約１４ｃＰの範囲の２５℃での脱塩水中の４％溶液粘度を有し、
前記第１の水溶性樹脂の前記少なくとも１つのポリビニルアルコールホモポリマー、または前記少なくとも１つのポリビニルアルコールコポリマー、または前記それらのブレンドの２５℃での脱塩水中の前記４％溶液粘度が、前記第２の水溶性樹脂の前記少なくとも１つのポリビニルアルコールホモポリマー、または前記少なくとも１つのポリビニルアルコールコポリマー、または前記それらのブレンドの２５℃での脱塩水中の前記４％溶液粘度よりも大きく、かつ前記第１の水溶性樹脂の前記少なくとも１つのポリビニルアルコールホモポリマー、または前記少なくとも１つのポリビニルアルコールコポリマー、または前記それらのブレンドの２５℃での脱塩水中の前記４％溶液粘度と前記第２の水溶性樹脂の前記少なくとも１つのポリビニルアルコールホモポリマー、または前記少なくとも１つのポリビニルアルコールコポリマー、または前記それらのブレンドの２５℃での脱塩水中の４％溶液粘度との間の差が、約２ｃＰ〜約２０ｃＰ、または約３ｃＰ〜約１５ｃＰ、または約４ｃＰ〜約１２ｃＰであり、
ｂ．前記水溶性単位用量物品を水と接触させて、前記フィルムのうちの少なくとも１つを溶解させ、それにより前記物品に含まれる前記組成物を放出させることと、を含み、
但し、前記組成物が、布地ケアまたは家庭用ケア組成物であり、かつフィルムが、ポリビニルアルコールホモポリマー樹脂とアニオン性ポリビニルアルコールコポリマー樹脂とのブレンドを含む場合には、前記第１の水溶性フィルムおよび前記第２の水溶性フィルムの両方が、６５重量％以上のアニオン性ポリビニルアルコールコポリマー樹脂を含むことを条件とし、
但し、前記組成物が、布地ケアまたは家庭用ケア組成物であり、かつフィルムが、少なくとも２つのアニオン性ポリビニルアルコールコポリマー樹脂のブレンドを含む場合には、前記第１の水溶性フィルムおよび前記第２の水溶性フィルムの両方が、少なくとも２つのアニオン性ポリビニルアルコールコポリマー樹脂のブレンドを含むことを条件とする、プロセス。
【請求項４４】
前記物品が、非家庭用ケア組成物を含有する、請求項１〜４３のいずれか一項に記載の水溶性単位用量物品、使用、またはプロセス。
【請求項４５】
前記非家庭用ケア組成物が、農業用組成物、航空用組成物、食品および栄養組成物、工業用組成物、家畜用組成物、海洋用組成物、医学用組成物、獣医学用組成物、軍用および準軍用組成物、事務用組成物、ならびにレクリエーション用および公園用組成物、ペット用組成物、および水処理用組成物から選択される、請求項４４に記載の水溶性単位用量物品、使用、またはプロセス。
【請求項４６】
前記非家庭用ケア組成物が、農業用組成物を含む、請求項４５に記載の水溶性単位用量物品、使用またはプロセス。
【請求項４７】
前記非家庭用ケア組成物が、水処理用組成物を含む、請求項４５に記載の水溶性単位用量物品、使用またはプロセス。
【発明の詳細な説明】
【技術分野】
【０００１】
関連出願の相互参照
米国特許法第１１９条（ｅ）に基づく２０１６年６月１３日に出願された米国仮特許出願第６２／３４９，６４６号の利益がこれによって主張され、その開示がこれによって参照により本明細書に組み込まれる。
【０００２】
本開示は、化学的に異なる水溶性フィルムの組み合わせから作製され、任意に、少なくとも１つの区画内の水溶性フィルムによって少なくとも部分的に封入されている、組成物、例えば家庭用ケア組成物または非家庭用ケア組成物を含む水溶性単位用量物品に関する。
【背景技術】
【０００３】
水溶性ポリマーフィルムは、送達される材料の分散、注入、溶解、および投入を単純化するパッケージング材料として一般的に使用される。例えば、水溶性フィルムから作製された水溶性単位用量物品は、一般的に、家庭用ケア組成物、例えば洗濯用洗剤または皿洗い用洗剤を含有するパウチ、および非家庭用ケア組成物、例えば水処理活性剤を含有するパウチをパッケージングするために使用される。使用者（例えば、消費者）は、バケツ、シンク、もしくは洗濯機などの混合容器、またはトイレの水タンク、またはプールに水溶性単位用量物品、例えばパウチを直接添加することができる。有利に、これは、正確な投入を提供すると同時に、消費者がその組成物を計量する必要性を排除する。水溶性単位用量物品はまた、ボトルから液状洗濯洗剤を注ぐことなどの、容器から類似の組成物を分注すること、またはバケツから水処理粒剤もしくはペレットを分注することに関連し得る、散乱を軽減し得る。水溶性単位用量物品はまた、その組成物が使用者の手と接触することから保護する。要約すると、予め測定された薬剤を含有する水溶性単位用量物品は、様々な用途における使用の利便性を提供する。
【０００４】
水溶性単位用量物品を作製するために使用されるいくつかの水溶性ポリマーフィルムは、例えば洗濯サイクル中に不完全に溶解し、洗浄中の物品にフィルム残留物を残すであろう。このような問題は、水溶性単位用量物品が、水溶性単位用量物品が冷水（例えば、５℃と低温および／または最高で１０℃または１５℃の水）中で、短い水との接触時間、例えば、短縮洗浄サイクルで、および／または低濃度のフィルム溶解に利用可能な水で、例えば少量の水での洗浄サイクル（例えば、５ｍＬ〜３００ｍＬの内容物を含有するようにサイズ調整されたパウチに対して、例えば約３Ｌ〜約２０Ｌの洗浄液）で使用される場合など、応力洗浄条件下で使用される場合に特に生じ得る。とりわけ、環境に対する懸念およびエネルギーコストは、洗濯用途においては、より低温の洗浄水およびより短縮した洗浄サイクルを利用するための消費者の欲求を駆り立てる。
【０００５】
加えて、水溶性単位用量物品は、包装、輸送、保管、および使用の間に適用され得る力に耐えるために、製造直後および保管時の両方において、適切な強度を有することが望ましい。意図しない破裂および／または漏出を避けるために、洗濯用洗剤または染料濃縮物などの液体組成物を封入するパウチには、適切な強度が特に好まれ得る。
【０００６】
加えて、水溶性単位用量物品は、水溶性単位用量物品からの洗剤またはその他の内容物の早期の漏出を減少させ、それによって容器内の他の水溶性単位用量物品の汚染を減少させるために、適切な封止強度を有することが望ましい。不十分な封止強度はまた、包装、輸送、保管、または使用中に力が適用されたときに、水溶性単位用量物品の早期の破裂を招く可能性もある。
【０００７】
良好な水溶性、好適なパウチ強度および封止強度、耐薬品性、フィルムまたはそれから形成された水溶性単位用量物品と接触する洗濯活性剤または他の組成物との化学的および物理的適合性、ならびに／もしくは所望の機械的特性、例えば熱成形および／または好適な封着時の変形性の所望の特性を有する水溶性フィルムおよびパウチなどの水溶性単位用量物品に対する必要性が依然として存在する。本開示による水溶性単位用量物品は、最適な水溶性、封止強度、およびパウチ強度を呈することが見出されている。
【発明の概要】
【０００８】
本開示は、少なくとも１つの封止区画を含み、任意に少なくとも１つの家庭用ケア組成物または非家庭用ケア組成物を含む水溶性単位用量物品に関し、水溶性単位用量物品が、第１の水溶性樹脂を含む第１の水溶性フィルムと、第２の水溶性樹脂を含む第２の水溶性フィルムとを含み、第１のフィルムが、第２のフィルムに封止されて少なくとも１つの封止区画を形成し、第１の水溶性樹脂が、少なくとも１つのポリビニルアルコールホモポリマー、または少なくとも１つのポリビニルアルコールコポリマー、またはそれらのブレンドを含み、少なくとも１つのポリビニルアルコールホモポリマー、または少なくとも１つのポリビニルアルコールコポリマー、またはそれらのブレンドが、約８ｃＰ〜約４０ｃＰ、または約１２ｃＰ〜約３０ｃＰ、または約１４ｃＰ〜約２５ｃＰの範囲の２５℃での脱塩水中の４％溶液粘度を有し、第２の水溶性樹脂が、少なくとも１つのポリビニルアルコールホモポリマー、または少なくとも１つのポリビニルアルコールコポリマー、またはそれらのブレンドを含み、少なくとも１つのポリビニルアルコールホモポリマー、または少なくとも１つのポリビニルアルコールコポリマー、またはそれらのブレンドが、約４ｃＰ〜約３５ｃＰ、または約１０ｃＰ〜約２０ｃＰ、または約１０ｃＰ〜約１５ｃＰ、または約１２ｃＰ〜約１４ｃＰの範囲の２５℃での脱塩水中の４％溶液粘度を有し、第１の水溶性樹脂の少なくとも１つのポリビニルアルコールホモポリマー、または少なくとも１つのポリビニルアルコールコポリマー、またはそれらのブレンドの２５℃での脱塩水中の４％溶液粘度が、第２の水溶性樹脂の少なくとも１つのポリビニルアルコールホモポリマー、または少なくとも１つのポリビニルアルコールコポリマー、またはそれらのブレンドの２５℃での脱塩水中の４％溶液粘度よりも大きく、かつ第１の水溶性樹脂の少なくとも１つのポリビニルアルコールホモポリマー、または少なくとも１つのポリビニルアルコールコポリマー、またはそれらのブレンドの２５℃での脱塩水中の４％溶液粘度と第２の水溶性樹脂の少なくとも１つのポリビニルアルコールホモポリマー、または少なくとも１つのポリビニルアルコールコポリマー、またはそれらのブレンドの２５℃での脱塩水中の４％溶液粘度との間の差が、約２ｃＰ〜約２０ｃＰ、または約３ｃＰ〜約１５ｃＰ、または約４ｃＰ〜約１２ｃＰである。
【０００９】
本開示はまた、このようなパウチを作製および使用する方法にも関する。
【図面の簡単な説明】
【００１０】
本明細書の図は本質的に例示的なものであり、限定を意図するものではない。
【００１１】
【図１】単位用量物品強度試験と封止不良試験の基本構成を模式的に示す。
【図２】パウチの側断面図を示す。
【図３】多区画パウチを示す。
【発明を実施するための形態】
【００１２】
定義
本明細書で使用する冠詞「ａ」および「ａｎ」は、特許請求の範囲で使用される場合、特許請求または記載されるものの１つ以上を意味すると理解される。本明細書で使用される場合、用語「含む（ｉｎｃｌｕｄｅ）」、「含む（ｉｎｃｌｕｄｅｓ）」、および「含む（ｉｎｃｌｕｄｉｎｇ）」は、非限定的であることを意味する。本開示の組成物は、本開示の成分を含み得るか、本質的にそれからなるか、またはそれらからなることができる。
【００１３】
本明細書では、「実質的に含まない」という用語が使用され得る。これは、示された材料が組成物に少なくとも意図的に添加されず、その一部を形成しないこと、または好ましくは分析的に検出可能なレベルで存在しないことを意味する。示された材料が意図的に含まれる他の材料の１つに不純物としてのみ存在する組成物を含むことを意味する。示された材料は、存在するとしても、組成物の１重量％未満、または０．１重量％未満、または０．０１重量％未満、またはさらに０重量％のレベルで存在し得る。
【００１４】
本開示の水溶性単位用量物品は、パッケージ自体の実施形態、および組成物、例えば家庭用ケア組成物または非家庭用ケア組成物を含み得るパッケージを含む。組成物は、液体、固体、またはこれらの組み合わせから選択することができる。本明細書で使用される場合、「液体」は、自由流動性の液体、ならびにペースト、ゲル、発泡体、およびムースを含む。液体の非限定的な例としては、軽質および重質液体洗剤組成物、布地向上剤、洗濯に一般的に使用される洗剤ゲル、漂白および洗濯添加剤が挙げられる。気体、例えば、懸濁気泡、または固体、例えば、粒子を液体内に含めることができる。本明細書で使用する「固体」としては、粉末、凝集物、およびこれらの混合物が挙げられるが、これらに限定されない。固体の非限定的な例としては、顆粒、マイクロカプセル、ビーズ、ヌードル、および真珠光沢のボールが挙げられる。固体組成物は、スルーザウォッシュ利益、前処理利益、および／または美的効果が挙げられるが、これらに限定されない、技術的利益を提供し得る。
【００１５】
本明細書で使用される場合、「ホモポリマー」という用語は、一般に、単一タイプのモノマー反復単位を有するポリマー（例えば、単一のモノマー反復単位からなる、または本質的になるポリマー鎖）を含む。ポリビニルアルコール（ＰＶＯＨ）の特定の場合について、「ホモポリマー」（または「ＰＶＯＨホモポリマー」もしくは「ＰＶＯＨポリマー」）という用語は、加水分解度に応じた、ビニルアルコールモノマー単位および酢酸ビニルモノマー単位の分布を有するコポリマー（例えば、ビニルアルコールおよび酢酸ビニルモノマー単位からなるか、または本質的になるポリマー鎖）をさらに含む。１００％加水分解の限定的な場合において、ＰＶＯＨホモポリマーは、ビニルアルコール単位のみを有する真のホモポリマーを含むことができる。
【００１６】
本明細書で使用される場合、「コポリマー」という用語は、一般に、２つ以上のタイプのモノマー反復単位を有するポリマー（例えば、２つ以上の異なるモノマー反復単位、ランダムコポリマー、ブロックコポリマー、等からなる、または本質的になるポリマー鎖）を含む。ＰＶＯＨの特定の場合について、「コポリマー」（または「ＰＶＯＨコポリマー」）という用語は、加水分解度に応じた、ビニルアルコールモノマー単位および酢酸ビニルモノマー単位、ならびに少なくとも１つの他のタイプのモノマー反復単位の分布を有するコポリマー（例えば、ビニルアルコールモノマー単位、酢酸ビニルモノマー単位、および１つ以上の他のモノマー単位、例えば、アニオン性モノマー単位からなるか、または本質的になるター（もしくは高次）ポリマー鎖）をさらに含む。１００％加水分解の限定的な場合において、ＰＶＯＨコポリマーは、ビニルアルコール単位および１つ以上の他のモノマー単位を有するが酢酸ビニル単位を有しないコポリマーを含むことができる。
【００１７】
特に記載のない限り、すべての成分または組成物のレベルは、その成分または組成物の活性部分に関し、不純物、例えば、このような成分または組成物の市販の供給源中に存在し得る、残留溶媒または副産物を含まない。
【００１８】
特に指示のない限り、すべての温度は摂氏（℃）で表される。別途記載のない限り、本明細書中のすべての測定は、２０℃、大気圧下、および５０％相対湿度で行う。
【００１９】
本開示において、すべてのパーセンテージは、特に明記しない限り、全組成物の重量によるものである。特に明記しない限り、すべての比は重量比である。
【００２０】
この明細書全体を通して与えられるすべての最大数値限界は、すべてのより低い数値限界を、このようなより低い数値限界が本明細書に明示的に記載されているかのように含むことを理解されたい。この明細書全体を通して与えられるすべての最小数値限界は、すべてのより高い数値限界を、このようなより高い数値限界が本明細書に明示的に記載されているかのように含む。この明細書全体を通して与えられるすべての数値範囲は、このようなより広い数値範囲内に含まれるすべてのより狭い数値範囲を、このようなより狭い数値範囲がすべて本明細書に明示的に記載されているかのように含む。
【００２１】
本明細書に記載されるすべての範囲は、すべての可能なサブセットの範囲およびこのようなサブセットの範囲の任意の組み合わせを含む。既定では、範囲は、別に記載されない限り、記載される終了点を含む。値の範囲が提供されている場合、その範囲の上限と下限との間の各々の間の値、およびその記載される範囲内の任意の他の記載される値または間にある値は、本開示内に包含されることが理解される。これらのより小さな範囲の上限および下限は独立して、そのより小さな範囲内に含まれ得、また、記載される範囲内の任意の具体的に除外される限界値に従って、本開示内に包含される。記載される範囲がこれらの限界値のうちの１つまたは両方を含む場合、これらの含まれる限界値のいずれかまたは両方を除く範囲も、本開示の一部であることが企図される。
【００２２】
例えば、記載される目的物のパラメータまたは記載される目的物に関連付けられた範囲の一部として、本明細書に記載される任意の数値の場合、説明の一部を形成する代替物は、特定の数値を取り囲む機能的に同等の範囲であることが明白に企図される（例えば、「４０ｍｍ」として開示された寸法について、企図される別の実施形態は「約４０ｍｍ」である）。
【００２３】
水溶性単位用量物品
本明細書に記載の水溶性単位用量物品は、単位用量物品が水溶性フィルムによって囲まれた少なくとも１つの内部区画を含むように成形された第１の水溶性フィルムと、第２の水溶性フィルムとを含む。水溶性フィルムは、内部区画を画定するように互いに封止され、完成した充填物品において、保管中に洗剤または他の組成物が区画から漏れないように、フィルムは互いに封止される。しかしながら、水溶性単位用量物品を水に加えた場合（またはその逆の場合）、水溶性フィルムは溶解し、内部区画の内容物を、例えば水または洗浄液中に放出する。水溶性単位用量物品は、パウチであってもよい。
【００２４】
２つのフィルムが会合して一緒に封止される領域は封止領域と称される。しばしば、封止領域は、第２の水溶性フィルムの領域に封止された第１の水溶性フィルムの領域を含み、一般に単位用量物品の本体から突出している「スカート」または「フランジ」を含む。単位用量物品を作製する好ましい方法は、以下により詳細に記載される。
【００２５】
区画は、単位用量物品内の閉じた内部空間を意味するものと理解されるべきであり、これは、洗剤または他の組成物を保持することができる。製造中、本発明による第１の水溶性フィルムは、洗剤または他の組成物が添加される開放区画を含むように成形されてもよい。次いで、本発明による第２の水溶性フィルムは、区画の開口部を閉じるような配向で第１のフィルムの上に置かれる。次いで、第１および第２のフィルムは、封止領域に沿って共に封止される。
【００２６】
単位用量物品は、２つ以上の区画、さらに少なくとも２つの区画、またはさらには少なくとも３つの区画を含んでもよい。区画は、重ね合わされた配向、すなわち、一方が他方の上に位置するように配置されてもよい。そのような配向では、単位用量物品は、上部、中間、および下部の３つのフィルムを含むことになる。好ましくは、中間フィルムは、本発明による第２の水溶性フィルムに対応し、上部および下部フィルムは本発明による第１の水溶性フィルムに対応することになる。あるいは、区画は、横並びの配向、すなわち、一方が他方の隣に配向されてもよい。区画は、「タイヤとリム」の配置であってもよく、すなわち、第１の区画は第２の区画の隣に位置付けられるが、第１の区画は第２の区画を少なくとも部分的に囲むが第２の区画を完全に囲まない。あるいは、一方の区画が別の区画内に完全に封入されてもよい。このような多区画配向では、本発明による第１の水溶性フィルムは、洗剤または他の組成物が添加される開放区画を含むように成形されてもよい。次いで、本発明による第２の水溶性フィルムは、区画の開口部を閉じるような配向で第１のフィルムの上に置かれる。
【００２７】
単位用量物品が少なくとも２つの区画を含む場合、区画のうちの１つは他の区画よりも小さくてもよい。単位用量物品が少なくとも３つの区画を備え、区画のうちの２つが第３の区画より小さくてもよく、好ましくはより小さな区画がより大きな区画に重ね合わされる。重なり合った区画は、好ましくは並置されている。
【００２８】
多区画の配向では、組成物（例えば、非家庭用ケア組成物）が区画のうちの少なくとも１つに含まれていてもよい。これは、例えば、ただ１つの区画に含まれてもよく、または２つの区画に、またはさらには３つの区画に含まれてもよい。例えば、多区画の配向では、本発明による洗剤組成物が、区画のうちの少なくとも１つに含まれていてもよい。あるいは、例えば、洗剤がただ１つの区画に含まれてもよく、または２つの区画に、またはさらには３つの区画に含まれてもよい。
【００２９】
各区画は、同じまたは異なる組成物を含むことができる。異なる組成物は、すべて同じ形態であってもよく、または異なる形態であってもよい。
【００３０】
水溶性単位用量物品は、液体組成物が区画のうちの少なくとも１つに含まれている、少なくとも２つの内部区画を含んでもよく、好ましくは単位投与量物品は、液体組成物が区画のうちの少なくとも１つに含まれている、少なくとも３つの区画を含む。例えば、水溶性単位用量物品は、液体洗濯洗剤組成物が区画のうちの少なくとも１つに含まれている、少なくとも２つの内部区画を含んでもよく、好ましくは単位投与量物品は、洗剤組成物が区画のうちの少なくとも１つに含まれている、少なくとも３つの区画を含む。
【００３１】
第１および第２の水溶性フィルム
水溶性単位用量物品は、第１の水溶性フィルムおよび第２の水溶性フィルムを含み、第１の水溶性フィルムおよび第２の水溶性フィルムは互いに化学的に異なる。
【００３２】
疑念を避けるために、本明細書の文脈では、「化学的に異なる」とは、「バージンフィルム」、すなわち、供給業者／製造業者から受け取られ、単位用量物品製造ユニットに巻き戻される前のフィルムであって、第１のフィルム組成物を第２のフィルム組成物から区別し、本明細書に記載の試験方法（複数可）による水分容量、伸び弾性率、および破断点引張強さなどのフィルムの物理的特性の少なくとも１つに影響を与え、この少なくとも１つの物理的フィルム特性を第１のフィルムと第２のフィルムとで異なるものにする、フィルム組成物のうちの少なくとも１つに存在する少なくとも１つの物質を有するフィルムを意味する。自然な製造プロセスに起因するフィルムの化学組成の変化、すなわちバッチ間の変動は、それ自体、本発明の範囲内の化学的に異なるフィルムとはみなされない。
【００３３】
化学的に区別する物質の非限定的な例には、異なるポリマー標的樹脂および／または含有量、異なる可塑剤組成および／または含有量、もしくは異なる界面活性剤および／または含有量の使用が挙げられる。フィルムの厚さのみが異なるフィルムなどの、物理的性質のみが異なるが同じ物質含有量を有するフィルムを含む水溶性単位用量物品は、本発明の範囲外であるとみなされる。コーティング層の存在対不在によってのみ区別されるフィルムから作製された単位用量物品もまた、本発明の範囲外であるとみなされる。
【００３４】
好ましくは、第１の水溶性フィルムは、単位用量物品の製造中に熱成形される。「熱成形」とは、例えば、赤外線ランプの下にフィルムを通過させることによって、変形の前にフィルムを加熱することを意味し、変形工程は、好ましくは、水溶性フィルムを空洞の上に置き、フィルムの下の空洞の内側で真空または減圧を適用することによって有効にされる。第２の水溶性フィルムは、単位用量物品の製造中に熱成形され得る。あるいは、第２の水溶性フィルムは、単位用量物品の製造中に熱成形されなくてもよい。好ましくは、第１の水溶性フィルムは、単位用量物品の製造中に熱成形され、第２の水溶性フィルムは、単位用量物品の製造中に熱成形されない。
【００３５】
第１の水溶性フィルムおよび第２の水溶性フィルムはそれぞれ、独立して、４０ミクロン〜１００ミクロン、好ましくは６０ミクロン〜９０ミクロン、より好ましくは７０ミクロン〜８０ミクロンの、単位用量物品に組み込む前の厚さを有することができる。
【００３６】
好ましくは、第１の水溶性フィルムと第２の水溶性フィルムとの間の、単位用量物品に組み込む前の厚さの差は、５０％未満、好ましくは３０％未満、より好ましくは２０％未満、さらにより好ましくは１０％であるか、または厚さが等しくてもよい。
【００３７】
本発明による第１の水溶性フィルムおよび第２の水溶性フィルムは、好ましくは単一層フィルムであり、より好ましくは溶液流延によって製造される。
【００３８】
水溶性フィルムは、カールフィッシャー滴定によって測定される、少なくとも４重量％、例えば約４〜約１０重量％の範囲の残留含水率をさらに有することができる。
【００３９】
好ましくは、第１の水溶性フィルムは第１の水溶性樹脂を含み、第２の水溶性フィルムは第２の水溶性樹脂を含む。好ましくは、第１の水溶性樹脂は、少なくとも１つのポリビニルアルコールホモポリマー、または少なくとも１つのポリビニルアルコールコポリマー、またはそれらのブレンドを含み、第２の水溶性樹脂は、少なくとも１つのポリビニルアルコールホモポリマー、または少なくとも１つのポリビニルアルコールコポリマー、またはそのブレンドを含む。
【００４０】
好ましくは、第１の水溶性フィルムの少なくとも１つのポリビニルアルコールホモポリマー、または少なくとも１つのポリビニルアルコールコポリマー、またはそれらのブレンドと第２の水溶性フィルムの少なくとも１つのポリビニルアルコールホモポリマー、または少なくとも１つのポリビニルアルコールコポリマー、またはそれらのブレンドとは、独立して、約４ｃＰ〜約４０ｃＰの、好ましくは１０ｃＰ〜３０ｃＰの、より好ましくは１１ｃＰ〜２６ｃＰの範囲の、２５℃での脱塩水中の４％溶液粘度を有する。より好ましくは、第１の水溶性樹脂は、約８ｃＰ〜約４０ｃＰ、または約１２ｃＰ〜約３０ｃＰ、または１４ｃＰ〜２６ｃＰの範囲の、２５℃での脱塩水中の４％溶液粘度を有する少なくとも１つのポリビニルアルコールホモポリマー、または少なくとも１つのポリビニルアルコールコポリマー、またはそれらのブレンドを含み、第２の水溶性樹脂は、約４ｃＰ〜約３５ｃＰ、または約１０ｃＰ〜約２０ｃＰ、または約１０ｃＰ〜約１５ｃＰ、または約１１ｃＰ〜約１４ｃＰの範囲の、２５℃での脱塩水中の４％溶液粘度を有する少なくとも１つのポリビニルアルコールホモポリマー、または少なくとも１つのポリビニルアルコールコポリマー、またはそれらのブレンドを含む。
【００４１】
好ましくは、第１の水溶性樹脂の少なくとも１つのポリビニルアルコールホモポリマー、または少なくとも１つのポリビニルアルコールコポリマー、またはそれらのブレンドの２５℃での脱塩水中の４％溶液粘度は、第２の水溶性樹脂の少なくとも１つのポリビニルアルコールホモポリマー、または少なくとも１つのポリビニルアルコールコポリマー、またはそれらのブレンドの２５℃での脱塩水中の４％溶液粘度よりも大きい。より好ましくは、第１の水溶性樹脂の少なくとも１つのポリビニルアルコールホモポリマー、または少なくとも１つのポリビニルアルコールコポリマー、またはそれらのブレンドの２５℃での脱塩水中の４％溶液粘度と第２の水溶性樹脂の少なくとも１つのポリビニルアルコールホモポリマー、または少なくとも１つのポリビニルアルコールコポリマー、またはそれらのブレンドの２５℃での脱塩水中の４％溶液粘度との間の差は、約２ｃＰ〜約２０ｃＰ、または約３ｃＰ〜約１５ｃＰ、または約４ｃＰ〜約１２ｃＰである。
【００４２】
「差」とは、本明細書では、第１の水溶性樹脂の少なくとも１つのポリビニルアルコールホモポリマー、または少なくとも１つのポリビニルアルコールコポリマー、またはそれらのブレンドの２５℃での脱塩水中の４％溶液粘度の値と、第２の水溶性樹脂の少なくとも１つのポリビニルアルコールホモポリマー、または少なくとも１つのポリビニルアルコールコポリマー、またはそれらのブレンドの２５℃での脱塩水中の４％溶液粘度の値との差を意味する。
【００４３】
第１の水溶性樹脂および第２の水溶性樹脂が、それぞれポリビニルアルコールホモポリマーとアニオン性モノマー単位を含むポリビニルアルコールコポリマーとのブレンドを含む場合、第１の水溶性樹脂のアニオン性モノマー単位を含むポリビニルアルコールコポリマーは、第１の粘度（μc1）を有していてもよく、第２の水溶性樹脂のアニオン性モノマー単位を含むポリビニルアルコールコポリマーは、第２の粘度（μc2）を有していてもよく、第１の水溶性樹脂のポリビニルアルコールホモポリマーは、第１の粘度（μh1）を有していてもよく、第２の水溶性樹脂のポリビニルアルコールホモポリマーは、第２の粘度（μh2）を有していてもよく、第１の水溶性樹脂は、ブレンド粘度（μブレンド1）を有していてもよく、第２の水溶性樹脂は、ブレンド粘度（μブレンド2）を有してもよい。ブレンド粘度は重量平均であり、下記の通りに算出することができる：ブレンド粘度＝ｅ＾（ｗ1（μc1中）＋ｗ2（μh1中））、式中、ｅはオイラー数であり、ｗはそれぞれの水溶性樹脂の総重量に基づく重量％である。また、粘度差は、多くの方法で算出することができる：
（ｉ）μh2＝μh1である場合、｜μc1−μc2｜＞０、
（ｉｉ）μc2＝μc1である場合、｜μh1−μh2｜＞０、または
（ｉｉｉ）｜μブレンド1−μブレンド2｜＞０。
【００４４】
第１の水溶性樹脂は、ポリビニルアルコールホモポリマーと、アニオン性モノマー単位を含むポリビニルアルコールコポリマーとのブレンドを含んでいてもよく、ブレンドは、任意に、０％〜７０重量％のアニオン性モノマー単位を含むポリビニルアルコールコポリマーの第１の水溶性樹脂と、３０％〜約１００重量％のポリビニルアルコールホモポリマーの第１の水溶性樹脂とを含む。ブレンドは、第１の水溶性樹脂の総重量に基づいて、１０％〜７０％、または１５％〜約６５％、または２０％〜５０％、または３０％〜４０％の、アニオン性モノマー単位を含むポリビニルアルコールコポリマーを含むことができる。別のタイプの実施形態では、ブレンドは６５重量％以上のアニオン性ポリビニルアルコールコポリマー、または６５重量％以上のアニオン性ポリビニルアルコールコポリマーを含む。
【００４５】
第２の水溶性樹脂は、ポリビニルアルコールホモポリマーと、アニオン性モノマー単位を含むポリビニルアルコールコポリマーとのブレンドを含んでいてもよく、ブレンドは、任意に、フィルム中の第２の水溶性樹脂の総重量に基づいて、０％〜７０重量％のアニオン性モノマー単位を含むポリビニルアルコールコポリマーと、３０％〜１００％のポリビニルアルコールホモポリマーとを含む。ブレンドは、フィルム中の第２の水溶性樹脂の総重量に基づいて、１０％〜７０％、または１５％〜６５％、または２０％〜５０％、または３０％〜４０％の、アニオン性モノマー単位を含むポリビニルアルコールコポリマーを含むことができる。別のタイプの実施形態では、ブレンドは６５重量％以上のアニオン性ポリビニルアルコールコポリマー、または６５重量％以上のアニオン性ポリビニルアルコールコポリマーを含む。
【００４６】
第１の樹脂のポリビニルアルコールコポリマー中に存在する、第２の樹脂のポリビニルアルコールコポリマー中に存在する、またはその混合物中に存在するアニオン性モノマー単位は、独立して、ビニル酢酸、アクリル酸アルキル、マレイン酸、マレイン酸モノアルキル、マレイン酸ジアルキル、マレイン酸モノメチル、マレイン酸ジメチル、無水マレイン酸、フマル酸、フマル酸モノアルキル、フマル酸ジアルキル、フマル酸モノメチル、フマル酸ジメチル、無水フマル酸、イタコン酸、イタコン酸モノメチル、イタコン酸ジメチル、無水イタコン酸、シトラコン酸、シトラコン酸モノアルキル、シトラコン酸ジアルキル、無水シトラコン酸、メサコン酸、メサコン酸モノアルキル、メサコン酸ジアルキル、無水メサコン酸、グルタコン酸、グルタコン酸モノアルキル、グルタコン酸ジアルキル、無水グルタコン酸、ビニルスルホン酸、アルキルスルホン酸、エチレンスルホン酸、２−アクリルアミド−１−メチルプロパンスルホン酸、２−アクリルアミド−２−メチルプロパンスルホン酸、２−メチルアクリルアミド−２−メチルプロパンスルホン酸、２−スルホエチルアクリレート、それらのアルカリ金属塩、それらのエステル、およびそれらの組み合わせから誘導されるアニオン性モノマーからなる群から選択することができる。
【００４７】
好ましくは、アニオン性モノマー単位は、マレイン酸、マレイン酸モノアルキル、マレイン酸ジアルキル、無水マレイン酸、それらのアルカリ金属塩、それらのエステル、およびこれらの組み合わせから誘導されるアニオン性モノマーからなる群から選択される。
【００４８】
より好ましくは、アニオン性モノマー単位は、マレイン酸、マレイン酸モノメチル、マレイン酸ジメチル、無水マレイン酸、それらのアルカリ金属塩、それらのエステル、およびこれらの組み合わせから誘導されるアニオン性モノマーからなる群から選択される。
【００４９】
好ましくは、第１および第２のポリビニルアルコールコポリマーは、独立して、存在する全ポリビニルアルコールコポリマーに対して、２モル％〜８モル％、より好ましくは３モル％〜５モル％、最も好ましくは１モル％〜４モル％のアニオン性モノマー単位を含む。
【００５０】
好ましくは、第１のポリビニルアルコールホモポリマーおよび第２のポリビニルアルコールホモポリマーと第１のポリビニルアルコールコポリマーおよび第２のポリビニルアルコールコポリマーとは、独立して、８０％〜９９％、好ましくは８５％〜９５％、より好ましくは８７％〜９３％の加水分解度を有する。
【００５１】
好ましくは、第１の水溶性フィルムおよび第２の水溶性フィルムは、独立して、フィルムの重量の３０％〜９０％、より好ましくは４０％〜８０％、さらにより好ましくは５０％〜７５％、最も好ましくは６０％〜７０％の水溶性樹脂含有量を有する。
【００５２】
第１のポリビニルアルコールホモポリマーおよび第２のポリビニルアルコールホモポリマーと第１のポリビニルアルコールコポリマーおよび第２のポリビニルアルコールコポリマーとに加えて使用するための他の水溶性ポリマーとしては、ＰＶＯＨホモポリマーと称されることもあるビニルアルコール−酢酸ビニルコポリマー、ポリアクリレート、水溶性アクリレートコポリマー、ポリビニルピロリドン、ポリエチレンイミン、プルラン、限定されるものではないが、グアーガム、アカシアガム、キサンタンガム、カラギーナン、およびデンプンが挙げられる水溶性天然ポリマー、限定されるものではないが、加工デンプン、エトキシル化デンプン、ヒドロキシプロピル化デンプンおよびヒドロキシプロピル化デンプンが挙げられる水溶性ポリマー誘導体、前述のコポリマー、ならびに前述のいずれかの組み合わせを挙げることができるが、これらに限定されない。さらに他の水溶性ポリマーとしては、ポリアルキレンオキシド、ポリアクリルアミド、ポリアクリル酸およびそれらの塩、セルロース、セルロースエーテル、セルロースエステル、セルロースアミド、ポリビニルアセテート、ポリカルボン酸およびそれらの塩、ポリアミノ酸、ポリアミド、ゼラチン、メチルセルロース、カルボキシメチルセルロースおよびそれらの塩、デキストリン、エチルセルロース、ヒドロキシエチルセルロース、ヒドロキシプロピルメチルセルロース、マルトデキストリン、ポリメタクリレート、ならびに前述のうちの任意の組み合わせを挙げることができる。このような水溶性ポリマーは、ＰＶＯＨか否かにかかわらず、様々な供給業者から市販されている。
【００５３】
第１の水溶性フィルムは第１の水容量を有し、第２の水溶性フィルムは第２の水容量を有し、第１の水容量は第２の水容量よりも小さい。
【００５４】
第１の水溶性フィルムと第２の水溶性フィルムとの間の水容量の差は、０．０１％〜１％、好ましくは０．０３％〜０．５％、最も好ましくは０．０５％〜０．３％である。第１の水溶性フィルムおよび第２の水溶性フィルムについては、以下でより詳細に説明する。「差」とは、本明細書では、第１の水容量の値と第２の水容量の値との差を意味する。「水容量」とは、本明細書では、試験されるフィルムの質量増加として測定される、特定の相対湿度および温度で一定期間にわたって水を吸収するフィルムの能力を意味する。水容量を測定するための方法は、以下でより詳細に説明される。
【００５５】
好ましくは、第１の水溶性フィルムは、１％〜１０％、より好ましくは２％〜８％、最も好ましくは３％〜６％の水容量を有する。
【００５６】
好ましくは、第２の水溶性フィルムは、１．５％〜１２％、より好ましくは２．５％〜１０％、最も好ましくは３．５％〜８％の水容量を有する。
【００５７】
第１の水溶性フィルムは、３００％〜１６００％、好ましくは４００％〜１２００％、より好ましくは６００％〜１２００％の第１の破断点引張歪みを有することができる。破断点引張歪みを測定する方法は、以下でより詳細に説明される。
【００５８】
第２の水溶性フィルムは、３００％〜１２００％、好ましくは５００％〜１０００％、より好ましくは５００％〜１０００％の第２の破断点引張歪みを有することができる。破断点引張歪みとは、本明細書では、フィルムが含有するであろう組成物、例えば洗剤組成物で予め平衡化されたそのフィルムの、フィルムを含む単位用量物品中の該フィルムおよび洗剤または他の組成物を接触させて、応力が適用されているときに破断する前に伸張する能力を意味する。破断点引張歪みを測定する方法は、以下でより詳細に説明される。
【００５９】
第１の破断点引張歪みと第２の破断点引張歪みとの間の差は、１０％〜１０００％、好ましくは１００％〜７５０％、より好ましくは２００％〜５００％であってもよい。「破断点引張歪みの差」とは、本明細書において、第１の破断点引張歪みの値と第２の破断点引張歪みの値との差を意味する。
【００６０】
好ましくは、第１の水溶性フィルムは第１の伸び弾性率を有し、第２の水溶性フィルムは第２の伸び弾性率を有し、第１の伸び弾性率は第２の伸び弾性率よりも大きく、第１の伸び弾性率と第２伸び弾性率との間の差は、０．５ＭＰａ〜１０ＭＰａ、好ましくは１ＭＰａ〜８ＭＰａ、より好ましくは２ＭＰａ〜７ＭＰａである。
【００６１】
「差」とは、本明細書では、第１の伸び弾性率の値と第２の伸び弾性率の値との差を意味する。「伸び弾性率」とは、本明細書では、応力が加えられたときにフィルムが伸びる能力を意味する。伸び弾性率の測定方法については、以下でより詳細に説明される。
【００６２】
好ましくは、第１の伸び弾性率は１ＭＰａ〜２０ＭＰａ、より好ましくは３ＭＰａ〜２０ＭＰａである。
【００６３】
好ましくは、第２の伸び弾性率は１ＭＰａ〜１５ＭＰａ、より好ましくは３ＭＰａ〜１５ＭＰａである。
【００６４】
好ましくは、水溶性単位用量物品は、６．２未満、好ましくは６未満、より好ましくは５．８未満の、以下の記載される単位用量物品用量物品機械洗浄溶出試験方法に従って、溶解プロファイルを呈する。
【００６５】
第１および第２のフィルムは、独立して、不透明、透明または半透明であってもよい。第１および第２のフィルムは、独立して印刷された領域を含むことができる。印刷された領域は、フィルムの表面の１０〜８０％を覆ってもよく、または区画の内部空間と接触したフィルムの表面の１０〜８０％を覆ってもよく、またはフィルムの表面の１０〜８０％と区画の表面の１０〜８０％とを覆ってもよい。
【００６６】
印刷領域は、フィルムの中断されていない部分を覆っていてもよく、またはその一部を覆っていてもよく、すなわち、より小さい印刷領域を含み、その合計は、フィルムの表面または区画の内部空間と接触したフィルムの表面もしくはその両方の１０〜８０％を表す。
【００６７】
印刷領域は、インク、顔料、染料、青色剤、またはこれらの混合物を含むことができる。印刷領域は、不透明、半透明または透明であってもよい。
【００６８】
印刷領域は、単一色を含んでもよく、または複数色、さらには３色を含んでもよい。印刷領域は、白色、黒色、青色、赤色、またはそれらの混合物を含んでもよい。印刷は、フィルムの表面上の層として存在してもよく、フィルムに少なくとも部分的に浸透してもよい。フィルムは、第１の面および第２の面を含むであろう。印刷領域は、フィルムの片面に存在してもよく、またはフィルムの両面に存在してもよい。あるいは、印刷領域は、フィルム自体の内部に少なくとも部分的に含まれていてもよい。
【００６９】
印刷領域は、フレキソ印刷またはインクジェット印刷のような、標準的な技術を使用して達成することができる。好ましくは、印刷領域は、フィルムが印刷された後、開いた区画の形状に成形されるフレキソ印刷によって達成される。次いで、この区画は、洗剤または他の組成物で満たされ、第２のフィルムは、区画の上に配置され、第１のフィルムに封止される。印刷の領域は、フィルムの片面または両面上にあり得る。
【００７０】
あるいは、フィルムの全部または少なくとも一部が着色されるように、フィルムの製造中にインクまたは顔料を添加してもよい。
【００７１】
第１および第２のフィルムは、独立して、嫌悪剤、例えば苦味剤を含んでもよい。好適な苦味剤としては、ナリンギン、スクロースオクタアセテート、塩酸キニン、安息香酸デナトニウム、またはこれらの混合物が挙げられるが、これらに限定されない。任意の好適なレベルの嫌悪剤をフィルムに使用することができる。好適なレベルとしては、１〜５０００ｐｐｍ、またはさらには１００〜２５００ｐｐｍ、またはさらには２５０〜２０００ｐｐｍが挙げられるが、これらに限定されない。
【００７２】
第１および／または第２のフィルムはまた、限定されるものではないが、可塑剤、可塑剤相溶化剤、界面活性剤、潤滑剤、剥離剤、充填剤、増量剤、架橋剤、粘着防止剤、抗酸化剤、粘着性除去剤、消泡剤、層状シリケート型ナノクレイ（例えば、ナトリウムモンモリロナイト）などのナノ粒子、漂白剤（例えば、メタ重亜硫酸ナトリウム、亜硫酸水素ナトリウム、等）、苦味剤（例えば、安息香酸デナトニウム、デナトニウムサッカライド、および塩化デナトニウムなどのデナトニウム塩、オクタアセチルスクロース、キニーネ、ケルセチンおよびナリンゲンなどのフラボノイド、ならびにクアシンおよびブルシンなどのクアシノイド）、ならびに辛味（例えば、カプサイシン、ピペリン、イソチオシアン酸アリル、およびレシンフェラトキシン）などの嫌悪剤、ならびに他の機能的成分のような、通常当業者に既知である他の二次的成分を、これらの意図される目的に適した量で含有し得る。可塑剤を含む実施形態が好ましい。このような薬剤の量は、個別または集合的に、最大約５０重量％、２０重量％、１５重量％、１０重量％、５重量％、４重量％、および／または少なくとも０．０１重量％、０．１重量％、１重量％、もしくは５重量％であり得る。
【００７３】
可塑剤としては、グリセリン、ジグリセリン、ソルビトール、エチレングリコール、ジエチレングリコール、トリエチレングリコール、ジプロピレングリコール、テトラエチレングリコール、プロピレングリコール、最大４００ＭＷのポリエチレングリコール、ネオペンチルグリコール、トリメチロールプロパン、ポリエーテルポリオール、ソルビトール、２−メチル−１，３−プロパンジオール（ＭＰＤｉｏｌ（登録商標））、エタノールアミン、およびこれらの混合物を挙げることができるが、これらに限定されない。好ましい可塑剤は、グリセリン、ソルビトール、トリエチレングリコール、プロピレングリコール、ジプロプレングリコール、２−メチル−１，３−プロパンジオール、トリメチロールプロパン、またはこれらの組み合わせである。可塑剤の総量は、全フィルム重量に基づき、約１０重量％〜約４５重量％、または１５重量％〜約３５重量％、または約２０重量％〜約３０重量％、または約２０重量％〜約４５重量％の範囲、例えば、約２５重量％であり得る。実施形態では、水溶性フィルム中の可塑剤の量は、水溶性フィルム中の全水溶性ポリマー（ＰＨＲ）１００部当たりの部数で表され、例えば、少なくとも３０ＰＨＲ、または少なくとも３５ＰＨＲで存在する。可塑剤の総量は、例えば、最高で４０ＰＨＲまたは４５ＰＨＲまたは５０ＰＨＲであり得る。可塑剤の総量は、例えば、３０〜５０ＰＨＲ、約３２．５ＰＨ〜約４２．５ＰＨＲ、または３５〜４５ＰＨＲ、または３５〜４０ＰＨＲの範囲内、または３０ＰＨＲ超および４５ＰＨＲ未満、または４０ＰＨＲ〜５０ＰＨＲであり得る。可塑剤の総量は、３４または３７．５ＰＨＲであり得る。
【００７４】
水溶性フィルムに使用するための界面活性剤は当該技術分野において周知である。任意に、界面活性剤は、流延時の樹脂溶液の分散を助けるために含まれる。好適な界面活性剤としては、非イオン性、カチオン性、アニオン性、および双性イオン性の部類を挙げることができる。好適な界面活性剤としては、ポリオキシエチレン化ポリオキシプロピレングリコール、アルコールエトキシレート、アルキルフェノールエトキシレート、第三級アセチレングリコール、およびアルカノールアミド（非イオン性）、ポリオキシエチレン化アミン、第四級アンモニウム塩、および四級化ポリオキシエチレン化アミン（カチオン性）、ならびにアミンオキシド、Ｎ−アルキルベタイン、およびスルホベタイン（双性イオン性）が挙げられるが、これらに限定されない。他の好適な界面活性剤としては、スルホコハク酸ジオクチルナトリウム、グリセロールおよびプロピレングリコールのラクチル化脂肪酸エステル、脂肪酸のラクチルエステル、アルキル硫酸ナトリウム、ポリソルベート２０、ポリソルベート６０、ポリソルベート６５、ポリソルベート８０、レシチン、グリセロールおよびプロピレングリコールのアセチル化脂肪酸エステル、ならびに脂肪酸のアセチル化エステル、およびこれらの組み合わせが挙げられる。実施形態では、界面活性剤は、ポリオキシエチレン化ポリオキシプロピレングリコール、アルコールエトキシレート、アルキルフェノールエトキシレート、第三級アセチレングリコールおよびアルカノールアミド、ポリオキシエチレン化アミン、第四級アンモニウム塩および四級化ポリオキシエチレン化アミン、ならびにアミンオキシド、Ｎ−アルキルベタイン、スルホベタイン、およびこれらの組み合わせからなる群から選択される。
【００７５】
様々な実施形態では、水溶性フィルム中の界面活性剤の量は、約０．１重量％〜約８．０重量％、または約１．０重量％〜約７．０重量％、または約３重量％〜約７重量％、または約５重量％〜約７重量％の範囲である。実施形態では、水溶性フィルム中の界面活性剤の量は、水溶性フィルム中の全水溶性ポリマー（ｐｈｒ）１００部当たりの部数で表され、約０．５ｐｈｒ〜約１２ｐｈｒ、約１．０ｐｈｒ〜約１１．０ｐｈｒ、約３．０ｐｈｒ〜約１０．５ｐｈｒ、または約１．０ｐｈｒ〜約２．０ｐｈｒの範囲で存在する。
【００７６】
好適な潤滑剤／離型剤としては、脂肪酸およびその塩、脂肪アルコール、脂肪エステル、脂肪アミン、脂肪アミンアセテート、ならびに脂肪アミドを挙げることができるが、これらに限定されない。好ましい潤滑剤／離型剤は、脂肪酸、脂肪酸塩、および脂肪アミンアセテートである。１つのタイプの実施形態では、水溶性フィルム中の潤滑剤／離型剤の量は、約０．０２重量％〜約１．５重量％、任意に約０．１重量％〜約１重量％の範囲である。
【００７７】
好適な充填剤／増量剤／粘着防止剤／粘着性除去剤としては、デンプン、加工デンプン、架橋ポリビニルピロリドン、架橋セルロース、微結晶性セルロース、シリカ、金属酸化物、炭酸カルシウム、タルク、雲母、ステアリン酸およびその金属塩、例えば、ステアリン酸マグネシウムが挙げられるが、これらに限定されない。好ましい材料は、デンプン、加工デンプン、およびシリカである。１つのタイプの実施形態では、水溶性フィルム中の充填剤／増量剤／粘着防止剤／粘着性除去剤の量は、例えば、約１重量％〜約６重量％、または約１重量％〜約４重量％、または約２重量％〜約４重量％、または約１ｐｈｒ〜約６ｐｈｒ、または約１ｐｈｒ〜約４ｐｈｒ、または約２ｐｈｒ〜約４ｐｈｒの範囲であり得る。
【００７８】
粘着防止剤（例えばＳｉＯ2および／またはステアリン酸））は、本フィルム中に、少なくとも０．１ＰＨＲ、もしくは少なくとも０．５ＰＨＲ、もしくは少なくとも１ＰＨＲ、または約０．１〜５．０ＰＨＲ、もしくは約０．１〜約３．０ＰＨＲ、もしくは約０．４〜１．０ＰＨＲ、もしくは約０．５〜約０．９ＰＨＲ、もしくは約０．５〜約２ＰＨＲ、もしくは約０．５〜約１．５ＰＨＲ、もしくは０．１〜１．２ＰＨＲ、もしくは０．１〜４ＰＨＲの範囲、例えば０．５ＰＨＲ、０．６ＰＨＲ、０．７ＰＨＲ、０．８ＰＨＲ、または０．９ＰＨＲの量で存在し得る。
【００７９】
粘着防止剤がＳｉＯ2粒子である場合、粘着防止剤に好適な中央粒径としては、約３、または約４ミクロン〜約１１ミクロン、もしくは約４〜約８ミクロン、もしくは約５〜約６ミクロンの範囲、例えば５、６、７、８、または８ミクロンの中央径が挙げられる。好適なＳｉＯ2は、水性系で使用するために設計された未処理の合成非結晶質シリカである。
【００８０】
洗剤組成物
洗剤組成物は、自由流動性粉末、液体、圧縮固体、ゲルまたはこれらの混合物の形態であり得る。
【００８１】
洗剤組成物は、自由流動性粉末の形態であってもよい。このような自由流動性粉末は、１００ミクロン〜１５００ミクロン、好ましくは１００ミクロン〜１０００ミクロン、より好ましくは１００ミクロン〜７５０ミクロンの平均粒径を有することができる。当業者であれば、粒径を測定するための標準的技術を承知しているであろう。洗剤組成物は、自由流動性洗濯洗剤組成物であってもよい。
【００８２】
洗剤組成物は液体であってもよい。本発明の液体洗剤組成物に関して、用語「液体」は、分散液、ゲル、ペーストなどの形態を包含する。液体組成物はまた、適切に細分された形態のガスを含むことができる。しかしながら、液体組成物は、錠剤または顆粒などの全体的に非液体である形態を除外する。
【００８３】
洗剤組成物は、液体洗濯洗剤組成物であってもよい。「液体洗濯洗剤組成物」という用語は、布地を濡らして処理することができる、例えば家庭用洗濯機で洗浄することができる液体を含む任意の洗濯洗剤組成物を指す。
【００８４】
洗濯洗剤組成物は、主洗浄プロセス中に使用されるが、前処理組成物または浸漬組成物として使用されてもよい。
【００８５】
洗濯洗剤組成物には、布地洗剤、布地柔軟剤、ツーインワン洗剤および軟化剤、前処理組成物などが挙げられる。
【００８６】
洗濯洗剤組成物は、漂白剤、漂白触媒、染料、色相染料、増白剤、アルコキシル化ポリアミンおよびポリエチレンイミンを含む洗浄ポリマー、汚れ放出ポリマー、界面活性剤、溶媒、移染防止剤、キレート剤、ビルダー、酵素、香料、封入香料、ポリカルボン酸塩、レオロジー変性剤、構造化剤、ヒドロトロープ、顔料および染料、乳白剤、防腐剤、酸化防止剤、加工助剤、カチオンポリマーを含むコンディショニングポリマー、抗菌剤、水酸化物およびアルカノールアミンなどのｐＨトリミング剤、抑泡剤、ならびにこれらの混合物から選択される成分を含むことができる。
【００８７】
界面活性剤は、アニオン性、カチオン性、双性イオン性、非イオン性、両性またはこれらの混合物から選択することができる。好ましくは、布地ケア組成物は、アニオン性、非イオン性またはこれらの混合物を含む。
【００８８】
アニオン性界面活性剤は、直鎖アルキルベンゼンスルホネート、アルキルエトキシレートサルフェートおよびこれらの組み合わせから選択することができる。
【００８９】
本明細書で有用な好適なアニオン性界面活性剤は、液体洗剤製品に典型的に使用される従来のアニオン性界面活性剤タイプのいずれかを含むことができる。これらには、アルキルベンゼンスルホン酸およびその塩、ならびにアルコキシル化または非アルコキシル化アルキル硫酸塩材料が挙げられる。
【００９０】
非イオン性界面活性剤は、脂肪アルコールアルコキシレート、オキソ合成脂肪アルコールアルコキシレート、ゲルベアルコールアルコキシレート、アルキルフェノールアルコールアルコキシレートまたはこれらの混合物から選択することができる。本明細書で使用するのに好適な非イオン性界面活性剤は、アルコールアルコキシレート非イオン性界面活性剤を含む。アルコールアルコキシレートは、一般式：Ｒ1（ＣmＨ2mＯ）nＯＨ（式中、Ｒ1は、Ｃ8〜Ｃ16アルキル基であり、ｍは２〜４であり、ｎは約２から１２の範囲である）に相当する物質である。一態様では、Ｒ1は、約９〜１５個の炭素原子、または約１０〜１４個の炭素原子を含む、第一級または第二級であり得るアルキル基である。一態様では、アルコキシル化脂肪アルコールはまた、１分子当たり約２〜１２個のエチレンオキシド部分、または１分子当たり約３〜１０個のエチレンオキシド部分を平均して含有するエトキシル化物質である。
【００９１】
本洗濯洗剤組成物に用いられるシェーディング染料は、ポリマー性または非ポリマー性の染料、顔料、またはこれらの混合物を含み得る。好ましくは、シェーディング染料は、発色団成分およびポリマー成分を含むポリマー染料を含む。発色団成分は、光に暴露されると、青、赤、紫、紫、またはこれらの組み合わせの波長範囲の光を吸収することを特徴とする。一態様では、発色団成分は、水および／またはメタノール中で約５２０ナノメートル〜約６４０ナノメートルの吸光度スペクトル最大値を示し、別の態様では、水および／またはメタノール中約５６０ナノメートル〜約６１０ナノメートルの吸光度スペクトル最大値を示す。
【００９２】
任意の好適な発色台が使用されてもよいが、染料発色弾は、好ましくは、ベンゾジフラン、メチン、トリフェニルメタン、ナフトールたるイミド、ピラゾール、ナフトキノン、アントラキノン、アゾ、オキサジン、アジン、キサンテン、トリフェノジオキサジン、およびフタロシアニン色素発色団から選択される。モノおよびジアゾ染料発色団が好ましい。
【００９３】
染料は、有機合成経路の直接の結果である未精製混合物の形態で洗剤組成物に導入されてもよい。したがって、染料ポリマーに加えて、少量の未反応出発物質、副反応の生成物、および任意の重合工程から生じると予想されるような反復単位の異なる鎖長を含む染料ポリマーの混合物が存在してもよい。
【００９４】
洗濯洗剤組成物は、洗浄性能および／または布地ケア利益を提供する１つ以上の洗剤酵素を含むことができる。好適な酵素の例としては、ヘミセルラーゼ、ペルオキシダーゼ、プロテアーゼ、セルラーゼ、キシラナーゼ、リパーゼ、ホスホリパーゼ、エステラーゼ、クチナーゼ、ペクチナーゼ、ケラタナーゼ、レダクターゼ、オキシダーゼ、フェノールオキシダーゼ、リポキシゲナーゼ、リグニナーゼ、プルラナーゼ、タンナーゼ、ペントサナーゼ、マラナーゼ、β−グルカナーゼ、アラビノシダーゼ、ヒアルロニダーゼ、コンドロイチナーゼ、ラッカーゼ、およびアミラーゼ、またはこれらの混合物が挙げられるが、これらに限定されない。典型的な組み合わせは、プロテアーゼ、リパーゼ、クチナーゼおよび／またはセルラーゼのような従来の適用可能な酵素のアミラーゼとのカクテルである。
【００９５】
本発明の洗濯用洗剤組成物は、１つ以上の漂白剤を含むことができる。漂白触媒以外の好適な漂白剤としては、光漂白剤、漂白活性化剤、過酸化水素、過酸化水素源、予め形成された過酸およびこれらの混合物が挙げられる。
【００９６】
洗剤組成物は増白剤を含んでもよい。好適な増白剤は、増白剤１５などのスチルベンである。他の好適な増白剤は、疎水性増白剤および増白剤４９である。増白剤は、３〜３０マイクロメートル、または３マイクロメートル〜２０マイクロメートル、または３〜１０マイクロメートルの範囲内の重量平均粒径を有する微粉化した粒状形態であってもよい。増白剤は、アルファまたはベータ結晶形態であり得る。
【００９７】
本明細書の組成物はまた、任意に、１つ以上の銅、鉄および／またはマンガンキレート剤を含有してもよい。キレート剤は、１−ヒドロキシエタンジホスホン酸（ＨＥＤＰ）およびその塩、Ｎ、Ｎ−ジカルボキシメチル−２−アミノペンタン−１，５−二酸およびその塩；２−ホスホノブタン−１，２，４−トリカルボン酸およびその塩、ならびにこれらの任意の組み合わせを含むことができる。
【００９８】
本発明の組成物はまた、１つ以上の移染防止剤を含んでもよい。好適なポリマー移染防止剤としては、ポリビニルピロリドンポリマー、ポリアミンＮ−オキシドポリマー、Ｎ−ビニルピロリドンとＮ−ビニルイミダゾールとのコポリマー、ポリビニルオキサゾリドンおよびポリビニルイミダゾールまたはこれらの混合物が挙げられるが、これらに限定されない。
【００９９】
洗濯洗剤組成物は、１つ以上のポリマーを含ンデもよい。好適なポリマーとしては、カルボキシレートポリマー、ポリエチレングリコールポリマー、テレフタレートポリマー、アミンポリマー、セルロースポリマー、移染防止ポリマーなどのポリエステル汚れ放出ポリマー、イミダゾールとエピクロロヒドリンの任意に１：４：１の比での縮合によって生成された縮合オリゴマー、ヘキサメチレンジアミン誘導体ポリマー、およびこれらの任意の組み合わせが挙げられる。
【０１００】
他の好適なセルロース系ポリマーは、０．０１〜０．９９の置換度（ＤＳ）およびＤＳ＋ＤＢが少なくとも１．００であるか、またはＤＢ＋２ＤＳ−ＤＳ2が少なくとも１．２０であるようなブロック度（ＤＢ）を有することができる。置換セルロース系ポリマーは、少なくとも０．５５の置換度（ＤＳ）を有することができる。置換セルロース系ポリマーは、少なくとも０．３５のブロック度（ＤＢ）を有することができる。置換セルロース系ポリマーは、１．０５〜２．００のＤＳ＋ＤＢを有することができる。好適な置換セルロース系ポリマーは、カルボキシメチルセルロースである。
【０１０１】
別の好適なセルロース系ポリマーは、カチオン変性ヒドロキシエチルセルロースである。
【０１０２】
好適な香料としては、香料マイクロカプセル、シッフ塩基香料／ポリマー複合体を含むポリマー支援型香料送達系、デンプン封入香料アコード、香料充填ゼオライト、ブルーミング香料アコード、およびこれらの任意の組み合わせが挙げられる。好適な香料マイクロカプセルは、メラミンホルムアルデヒドをベースとし、典型的にはメラミンホルムアルデヒドを含むシェルによって封入された香料を含む。このような香料マイクロカプセルには、ポリビニルホルムアミド（ＰＶＦ）および／またはカチオン変性ヒドロキシエチルセルロース（ｃａｔＨＥＣ）などのシェル中にカチオンおよび／またはカチオン性前駆物質を含むことが非常に適している場合がある。
【０１０３】
好適な抑泡剤としては、シリコーンおよび／またはステアリン酸などの脂肪酸が挙げられる。
【０１０４】
洗濯用洗剤組成物は着色されていてもよい。液体洗濯洗剤組成物の色は、物品のフィルム上の任意の印刷された領域と同じであっても異なっていてもよい。単位用量物品の各区画は、異なる色を有してもよい。好ましくは、液体洗濯洗剤組成物は、少なくとも１６の平均アルコキシル化度を有する非実質的な染料を含む。
【０１０５】
他の組成物
単位用量物品内で使用するための組成物は、非洗剤組成物および／または非家庭用ケア組成物であってもよい。布地ケアまたは家庭用ケア組成物としては、布地処理、硬質面、エアーケア、カーケア、食器洗い、布地コンディショニングおよび柔軟化、洗濯洗剤、洗濯時およびすすぎ時添加剤および／またはケア、硬質面洗浄および／または処理、ならびに消費者または業務用のための他の洗浄剤が挙げられる。非家庭用ケア組成物は他の用途に使用される。例えば、非家庭用ケア組成物は、農業用組成物、航空用組成物、食品および栄養組成物、工業用組成物、家畜用組成物、海洋用組成物、医療用組成物、商業用組成物、軍事および準軍事用組成物、オフィス組成物、ならびにレクリエーション用および公園用組成物、ペット組成物、水処理組成物から選択することができ、布地ケアおよび家庭用ケア組成物を除外するが、任意のこのような用途に適した洗浄組成物および洗剤組成物を含む、組成物であり得る。
【０１０６】
１つのタイプの実施形態が、封止区画が布地ケアまたは家庭用ケア組成物を含有し、フィルムがポリビニルアルコールホモポリマーとアニオン性ポリビニルアルコールコポリマーとのブレンドを含み、かつ第１の水溶性フィルムおよび第２の水溶性フィルムの両方が６５重量％以上のアニオン性ポリビニルアルコールコポリマーを含むブレンドを含むという条件で、本明細書に記載される物品を含むようになることが企図される。
【０１０７】
別のタイプの実施形態が、封止区画が布地ケアまたは家庭用ケア組成物を含有し、フィルムが少なくとも２つのアニオン性ポリビニルアルコールコポリマーのブレンドを含み、かつこのとき第１の水溶性フィルムおよび第２の水溶性フィルムの両方が少なくとも２つのアニオン性ポリビニルアルコールコポリマーのブレンドを含むという条件で、本明細書に記載される物品を含むようになることが企図される。
【０１０８】
１つのタイプの実施形態では、組成物は、農業用化学物質、例えば、１つ以上の殺虫剤、抗かび剤、除草剤、殺虫剤、殺ダニ剤、忌避剤、誘引剤、葉枯病剤、植物成長調節剤、肥料、殺菌剤、微量栄養素、および微量元素を含むことができる。好適な農業用化学物質および二次薬剤は、米国特許第６，２０４，２２３号および同第４，６８１，２２８号、ならびに欧州特許第０９８９８０３Ａ１号に記載されている。例えば、好適な除草剤としては、パラコート塩（例えば、パラコートジクロライドまたはパラコートビス（メチルサルフェート）、ジクワット塩（例えば、ジクワットジブロミドまたはジクワットアルギネート）、およびグリフォセートまたはその塩もしくはエステル（例えば、グリホセートイソプロピルアンモニウム、グリホセートセスキナトリウムまたはグリホサートトリメシウム、スルホセートとしても知られている）が挙げられる。不相溶性対の作物保護化学物質は、例えば米国特許第５，５５８，２２８号に記載されているように、別々のチャンバで使用することができる。使用することができる不相溶性対の作物保護化学物質としては、例えば、ベンスルフロンメチルおよびモリネート；２，４−Ｄおよびチフェンスルフロンメチル；２，４−Ｄおよびメチル２−［［［［Ｎ−４−メトキシ−６−メチル−１，３，５−トリアジン−２−イル）−Ｎ−メチルアミノ］カルボニル］アミノ］−スルホニル］ベンゾエート；２，４−Ｄおよびメトスルフロンメチル；マネブまたはマンコゼブおよびベノミル；グリホサートおよびメトスルフロンメチル；トラロメトリンおよび任意の有機リン酸塩、例えばモノクロトホスまたはジメトエート；ブロモキシニルおよびＮ−［［４，６−ジメトキシピリミジン−２−イル］−アミノ］カルボニル］−３−（エチルスルホニル）−２−ピリジン−スルホンアミド；ブロモキシニルおよびメチル２−［［［［（４−メチル−６−メトキシ）−１，３，５−トリアジン−２−イル）アミノ］カルボニル］アミノ］スルホニル］−ベンゾエート；ブロモキシニルおよびメチル２−［［［［Ｎ−（４−メトキシ−６−メチル−１，３，５−トリアジン−２−イル）−Ｎ−メチルアミノ］カルボニル］アミノ］−スルホニル］ベンゾエートが挙げられる。例えば、米国特許第８，３３３，０３３号に記載される実施形態のタイプを含む別の関連するタイプの実施形態では、組成物は、任意に土壌と一緒に１つ以上の種子を含み、さらに任意に、マルチ、砂、ピートモス、ウォータージェリー結晶、および肥料から選択される１つ以上の追加成分を含むことができる。
【０１０９】
別のタイプの実施形態では、組成物は、水処理剤である。このような薬剤としては、例えば米国特許出願公開第２０１４／０１１０３０１号および米国特許第８，７２８，５９３号に記載されているような積極的な酸化化学物質が挙げられる。例えば、殺菌剤としては、次亜塩素酸ナトリウム、次亜塩素酸カルシウム、および次亜塩素酸リチウムなどの次亜塩素酸塩；ジクロロイソシアヌル酸（「ジクロロ」またはジクロロ−ｓ−トリアジントリオン、１，３−ジクロロ−１，３，５−トリアジナン−２，４，６−トリオンとも称される）などの塩素化イソシアヌレート、およびトリクロロイソシアヌル酸（「トリクロロ」または１，３，５−トリクロロ−１，３，５−トリアジナン−２，４，６−トリオンとも称される）を挙げることができる。殺菌性化合物の塩および水和物もまた企図される。例えば、ジクロロイソシアヌル酸は、とりわけ、ジクロロイソシアヌル酸ナトリウム、ジクロロイソシアヌル酸ナトリウム酸二水和物として提供され得る。臭素含有殺菌剤はまた、とりわけ、１，３−ジブロモ−５，５−ジメチルヒダントイン（ＤＢＤＭＨ）、２，２−ジブロモ−３−ニトリロプロピオンアミド（ＤＢＮＰＡ）、ジブロモシアノ酢酸アミド、１−ブロモ−３−クロロ−５，５−ジメチルヒダントイン、および２−ブロモ−２−ニトロ−１，３−プロパンジオールなどの単位用量パッケージング用途で使用するために好適であり得る。酸化剤は、米国特許第７，４７６，３２５号に記載されているもの、例えば水素ペルオキシモノ硫酸カリウムであることができる。組成物は、例えば、米国特許出願公開第２００８／０１８５３４７号に記載されているようなｐＨ調整化学薬品であってもよく、例えば、組成物が水と接触すると発泡性であり、水のｐＨを調整するように、酸性成分およびアルカリ成分を含むことができる。好適な成分としては、重炭酸ナトリウム、重硫酸ナトリウム、水酸化カリウム、スルファミン酸、有機カルボン酸、スルホン酸、およびリン酸二水素カリウムが挙げられる。緩衝剤配合物は、例えば、ホウ酸、炭酸ナトリウム、グリコール酸、およびオキソンモノ過硫酸塩を含み得る。
【０１１０】
水処理剤は、例えば米国特許出願公開第２０１４／０１２４４５４号に記載されているような凝集剤であってもよく、または凝集剤を含むことができる。凝集剤としては、ポリマー凝集剤、例えば、ポリアクリルアミド、ジアリルジメチルアンモニウムクロリド（ＤＡＤＭＡＣ）、ジメチルアミノエチルアクリレート（ＤＭＡＥＡ）、ジメチルアミノエチルメタクリレート（ＤＭＡＥＭ）、３−メチルアミドプロピルトリメチルアンモニウムクロライド（ＭＡＰＴＡＣ）またはアクリル酸のアクリルアミドコポリマーなどのポリアクリルアミドコポリマー；カチオン性ポリアクリルアミド；アニオン性ポリアクリルアミド；中性ポリアクリルアミド；ポリアミン；ポリビニルアミン；ポリエチレンイミン；ポリジメチルジアリルアンモニウムクロライド；ポリオキシエチレン；ポリビニルアルコール；ポリビニルピロリドン；ポリアクリル酸；ポリリン酸；ポリスチレンスルホン酸；またはこれらの任意の組み合わせを挙げることができる。凝集剤は、酢酸キトサン、乳酸キトサン、アジピン酸キトサン、グルタミン酸キトサン、コハク酸キトサン、リンゴ酸キトサン、クエン酸キトサン、フマル酸キトサン、塩酸キトサン、およびこれらの組み合わせから選択することができる。水処理組成物は、リン酸除去化合物、例えば、ジルコニウム化合物、希土類ランタニド塩、アルミニウム化合物、鉄化合物、またはこれらの任意の組み合わせから選択される１つ以上を含むことができる。
【０１１１】
組成物は、例えば、米国特許出願第２００６／０１７２９１０号に記載されているような石灰除去組成物、例えば、クエン酸またはマレイン酸もしくはその硫酸塩、またはこれらの任意の混合物であってもよい。様々な他のタイプの組成物が、本明細書に記載の単位用量物品で使用するように企図され、これらには、粒子、例えばＵＳ  ＲＥ２９０５９  Ｅに記載されているような羽毛；例えば、米国特許出願公開第２００４／０１４４６８２号および第２００６／０１７３４３０号に記載されているような超吸収性ポリマー；米国特許第３，５８０，３９０号および米国特許出願公開第２０１１／００５４１１１号に記載されているような顔料および染み剤；米国特許第８，１６３，１０４号に記載されているようなろう付け用フラックス（例えば、アルカリ金属フルオロアルミネート、アルカリ金属フルオロシリケートおよびアルカリ金属フルオロ亜鉛酸塩）；米国特許出願公開第２００７／０００３７１９号に記載されているような食品（例えば、コーヒー粉末または乾燥スープ）；ならびに米国特許第４，４６６，４３１号に記載されているような創傷被覆材が挙げられる。
【０１１２】
単位用量物品の少なくとも１つの区画は、固体を含むことができる。存在する場合、固体は、単位用量物品の少なくとも５重量％の濃度で存在してもよい。
【０１１３】
単位用量物品の作製方法
当業者であれば、本発明の洗剤および他の組成物を作製するプロセスを承知しているであろう。当業者であれば、洗剤または他の組成物を作製するための標準的なプロセスおよび装置を承知しているであろう。
【０１１４】
当業者であれば、本発明の任意の態様による単位用量物品を作製するための標準的な技術を承知しているであろう。限定されるものではないが、熱成形および真空成形技術を含む標準的な成形プロセスを使用することができる。
【０１１５】
本発明による水溶性単位用量物品を作製する好ましい方法は、第１の水溶性フィルムを型内で成形して、開放した空洞を形成する工程と、空洞を清浄剤または他の組成物で満たす工程と、第２のフィルムを第１のフィルムの上に置く工程と、好ましくは水を含む溶剤封止を介して第１および第２のフィルムを一緒に封止して水溶性単位用量物品を製造する工程とを含む。
【０１１６】
試験プロトコル
単位用量物品機械洗浄溶出試験方法
この方法は、応力を受けた洗濯機条件下で洗濯用水溶性単位用量物品の相対溶解特性を評価するために設計されている。この方法のために、Ｅｌｅｃｔｒｏｌｕｘプログラマブル洗濯機タイプＷ５６５Ｈ、調整されたＥＭＰＡ２２１充填物（ＥＭＰＡ２２１ソース：Ｓｗｉｓｓａｔｅｓｔ−ＳＷＩＳＳａｔｅｓｔ試験材料、Ｍｏｖｅｎｓｔｒａｓｓｅ  １２  ＣＨ９０１５  Ｓｔ  Ｇａｌｌｅｎ、スイス）およびＤｉｇｉｅｙｅ画像撮影装置（Ｄｉｇｉｙｅ  ｂｙ  ＶｅｒｉＶｉｄｅ）を使用した。
【０１１７】
調整されたＥＭＰＡ２２１充填物は、洗濯機で染色することを目的とする染色溶液（Ｄｙｌｏｎ  ｇｏｌｄｆｉｓｈ  ｏｒａｎｇｅ  ｗａｓｈｉｎｇ  ｍａｃｈｉｎｅ  ｄｙｅ（Ｎ°５５））を用いて充填物をオレンジ色に着色することによって調製した。充填物を着色するためには、標準的な家庭用洗濯機を使用することができ、４０℃で標準的な綿のサイクルを採用する。５００ｇの塩および２００ｇのＤｙｌｏｎ  ｇｏｌｄｆｉｓｈオレンジ機械染料を洗濯機のドラムに加える。その結果、ドラムは塩および染料がそれ以上見えなくなるまで左右に動かされた。その結果、２５個のＥＭＰＡ  ２２１品目（５０ｃｍ×５０ｃｍのサイズ、ほつれを防止するために縁をかがり縫いした）を、品目を折りたたむことなくドラム上に均等に分配させた。４０℃での標準的な綿のサイクルは、１５ｇｐｇの水硬度で行った。サイクルの完了後、５０ｇのＡｒｉｅｌ感応性粉末をディスペンサーに添加し、４０℃の通常の綿サイクルを水硬度１５ｇｐｇで行った。このサイクルの完了後、洗剤を含まない４０℃での２回の追加の通常の綿のサイクルを、水硬度１５ｇｐｇで行い、次いで品目を吊り干しした。
【０１１８】
注意：新品のＥＭＰＡ２２１品目は、ドラム式Ｍｉｅｌｅ洗濯機に２５個の品目を添加し、Ａｒｉｅｌ感受性粉末５０ｇおよび１５ｇｐｇ水硬度で、２回の短縮綿サイクルを６０℃で行い（およそ１時間３０分の持続時間）、続いて洗剤を含まず、１５ｇｐｇの水硬度で６０℃にて２回の短縮綿サイクル（およそ１時間３０分の持続時間）を行い、次にタンブル乾燥させた。
【０１１９】
Ｅｌｅｃｔｒｏｌｕｘ  Ｗ５６５プログラマブル洗濯機は、２つのプログラムでプログラムされていた。第１のプログラムは、充填物を均等に濡らすように設計されていた（プリウェットプログラム）。第２のプログラム（溶解プログラム）は、西ヨーロッパの応力印加サイクル設定の１０分をシミュレートするために利用され、続いて水を汲み出し、１１００ｒｐｍで３分の脱水を開始した。
【表１】
2019525874.tif 000002
【０１２０】
５０個の染色されたＥＭＰＡ２２１布地（約２．４５ｋｇ）をＥｌｅｃｔｒｏｌｕｘ  Ｗ５６５洗濯機に均一に導入し、プリウェットプログラムを開始した。プレウェットプログラムの後、６つの水溶性単位用量物品を濡れた充填物にわたって均一に分配し、その後溶解プログラムを開始した。全プログラムの最後に、濡れた充填物を格付け室（Ｄ６５照明条件を備えている）に移し、専門の評価者によって残留物を評価した。残存する界面活性剤または過剰のポリマー樹脂のために変色点を有する各々の布を、画像解析のための充填物から選択した。
【０１２１】
この画像解析は、Ｄｉｇｉ−Ｅｙｅカメラを使用して、選択した布地の各面の画像を取得することによって行った（設定：“ｄ９０の散乱光、シャッター時間１／４、口径８”）。コントラストを高めるには、布を灰色または黒色の背景に置く必要がある。この後、画像分析ソフトウェアにより画像を評価して、充填物で検出された残留物の総サイズ（ピクセル数）を計算した。このツールは、デルタＥ閾値（６のデルタＥ）を用いて、通常のバラストとは異なる色のスポットを特定することによって残留物を検出する。１つの機械および充填物について、残留物スコアは、充填物に存在する残留物の総面積を合計することによって算出される。全残留物面積の対数値を算出し、４つの外部反復、すなわち、４つの異なる洗濯機の運転の平均値を報告した。
【０１２２】
単位用量物品強度および封止不良試験方法
この試験方法は、最大１００ｋＮ（キロニュートン）のロードセルを備えたＩｎｓｔｒｏｎ  Ｕｎｉｖｅｒｓａｌ材料試験器具（Ｉｎｓｔｒｏｎ  Ｉｎｄｕｓｔｒｉａｌ  Ｐｒｏｄｕｃｔｓ，８２５  Ｕｎｉｖｅｒｓｉｔｙ  Ａｖｅ．，Ｎｏｒｗｏｏｄ，ＭＡ  ０２０６２−２６４３）を用いて、単位用量物品強度および封止不良を決定するための実践を記述する。単位用量物品の圧縮を介して、この方法は、フィルムおよび封止領域に圧力をかけることによって、単位用量物品の全体的な強度（ニュートン単位での）を決定する。単位用量物品強度（ニュートン単位での）は、単位用量物品が破断する前に支持することができる最大負荷として定義される。２５０Ｎ未満の圧力で封止領域で開口する単位用量物品は、封止不良として報告され、平均単位用量物品強度を決定する際には考慮されない。
【０１２３】
単位用量物品強度および封止不良は、単位用量物品製造後１時間ですぐに測定され、フィルム／単位用量物品が変換後に硬化時間を有するようにした。この方法は、３０〜４０％の相対湿度（ＲＨ）と２０〜２３℃の間の室内環境で実施した。保管された単位用量物品は、試験前に１時間試験室環境に再平衡させた。
【０１２４】
図１は、単位用量物品強度試験と封止不良試験の基本構成を模式的に示す。単位用量物品強度および封止不良を測定するために、単位用量物品５１０を、プラスチックの脱気されたバッグ５００（クロージャを有する１５０ｍｍ×１２４ｍｍ、６０ミクロンの厚さ、例えばＲａｊａグリップＲＧＰ６Ｂ）に封入し、単位用量物品の破裂時の作業環境の汚染を防止した。バッグ内に封入された後、単位用量物品５１０を、器具の２つの圧迫板５２０、５３０の間の中央に位置させる。単位用量物品５１０は、幅封止寸法５４０（例えば、試験される実際の単位用量の物品では４１ｍｍである、封止領域をちょうど包囲する定義された長方形の平面内の最も小さな寸法）が、幅封止部上に応力が加えられるように、圧縮板の間にある（ｘ−方向）にあるように、直立位置で配置される。圧縮のために、プレート５２０および５３０の間の距離を減少させる速度は６０ｍｍ／分に設定される。試験トレッグごとに１０回複製し、平均単位用量物品強度および封止不良データを報告する。
【０１２５】
引張歪み試験およびｅ−弾性率試験
引張強度（ＴＳ）試験に従う引張強度および弾性率（ＭＯＤ）試験によるｅ−弾性率（引張弾性率または引張応力）によって特徴付けられるか、またはこれらについて試験される水溶性フィルムを、以下の通りに分析した。この手順は、ＡＳＴＭ  Ｄ  ８８２（「薄いプラスチックシートの引張特性のための標準試験方法」）に従った、引張歪みの決定および引張強度の決定を含む。フィルムデータの収集には、ＩＮＳＴＲＯＮ引張試験装置（モデル５５４４引張試験機または同等物−Ｉｎｓｔｒｏｎ  Ｉｎｄｕｓｔｒｉａｌ  Ｐｒｏｄｕｃｔｓ，８２５、Ｕｎｉｖｅｒｓｉｔｙ  Ａｖｅ．，ＮｏｒＷｏｏｄ，ＭＡ  ０２０６２−２６４３）を使用した。寸法安定性および再現性を保証するために、信頼できる切削工具（例えばＪＤＣ精密試料カッター、Ｍｏｄｅｌ  １−１０、Ｔｈｗｉｎｇ  Ａｌｂｅｒｔ  Ｉｎｓｔｒｕｍｅｎｔ  Ｃｏｍｐａｎｙ，Ｐｈｉｌａｄｅｌｐｈｉａ，ＰＡ  Ｕ．Ｓ．Ａ製）でそれぞれ切断した最低３つの試験片機械方向（ＭＤ）（適用可能な場合）、すなわち水溶性フィルムロール巻取り／巻き出し方向で各測定について試験した。水溶性フィルムは、環境条件を試験するために最低でも４８時間事前調整した。試験は、２３±２．０℃および３５±５％相対湿度の標準的な実験室雰囲気中で行った。引張強度または弾性率決定のために、３．０±０．１５ｍｉｌ（または７６．２±３．８μｍ）の厚さを有する単一のフィルムシートの１インチ幅（２．５４ｃｍ）の試料を用意する。ｅ−弾性率試験のために、バージンフィルムを試験した。引張歪み試験のために、試験フィルムを、最初に試験洗剤中に下記のプロトコルに従って予め浸漬した。その後、試料をＩＮＳＴＲＯＮ引張試験機に移して試験を進めた。５００Ｎのロードセルを備えた引張試験機は、製造業者の指示に従って用意し、較正した。正しいグリップおよびフェースを取り付ける（ゴムコーティングされ、幅２５ｍｍである、型番号２７０２−０３２フェースを有するＩＮＳＴＲＯＮグリップ、または同等物）。試料を引張試験機に取り付け、１Ｎ／分の速度で伸長させ、ｅ−弾性率（すなわち、弾性変形領域における応力−歪み曲線の傾き）および破断点引張歪み（すなわち、フィルム破断時に得られる伸び％、すなわち１００％は開始長さを反映し、２００％はフィルム破断時に２倍に延伸されたフィルムを反映する）を決定するように分析した。最小３つの試験片の平均を計算し、報告した。
【０１２６】
フィルム事前浸漬プロトコル
液体家庭用洗剤組成物を封入する封止された区画を形成するために使用されることを意図した１１ｃｍ×１２ｃｍの大きさのフィルム試料を両方のフィルムから調製した。試験フィルムを含む封止された区画内に封入されることを意図した家庭用液体洗剤組成物の合計７５０ｍｌが各試験フィルムに必要であった。清浄な不活性ガラス受容器の底を薄い液体層で覆い、試験されるフィルムを液体上に広げて、フィルムの下に閉じ込められた気泡を静かに両側に押し込んだ。次いで、残りの液体を、フィルムが液体中に完全に浸漬されるように、フィルムの上に静かに注いだ。フィルムにしわがなく、気泡がフィルムに触れないようにする必要がある。フィルムを液体と接触したままにして、密閉容器条件下で３５℃で６日間、その後２１℃で一晩貯蔵した。試験フィルムごとに、別々のガラス受容器を使用した。次にフィルムを貯蔵容器から取り出し、過剰の液体をフィルムから除去した。ベンチペーパーの上に置いたフィルムの上に紙を置き、次いでフィルムを乾燥紙で完全に拭き取った。その結果、フィルムは、上述の引張歪み環境試験条件に予備調整された。固体家庭用洗剤組成物を封入しようとする場合、引張歪み試験のためにバージンフィルムを使用した。
【０１２７】
水容量の測定方法
水容量はＤＶＳ（動的水蒸気吸着）装置で測定した。使用した機器は、ＰｒｏＵｍｉｄ製のＳＰＳ−ＤＶＳ（浸透性キットを備えたＳＰＳｘ−１μ−Ｈｉｇｈ  ｌｏａｄ型モデル）であった。ＤＶＳは吸湿／脱着の測定に重量測定を使用し、完全に自動化されている。
【０１２８】
システムの精度は、ＲＨ（相対湿度）が０−９８％にわたる範囲では±０．６％であり、２５℃では±０．３℃である。温度は、＋５〜＋６０℃の範囲とすることができる。この機器の微量天秤は、質量変化で０．１μｇを分解することができる。各フィルムを二通りで測定し、平均水容量値を報告する。
【０１２９】
試験の特定の条件については、５枚のフィルムを同時に試験することができる６パンのカルーセル（１パンが微量天秤の基準として使用され、空のままである必要がある）を使用した。
【０１３０】
各パンは、フィルムを固定するように設計されたネジ付きアルミニウムリングを有している。フィルム片をパンの上に置き、穏やかに伸ばした後、リングを上に置き、フィルムをねじでしっかりと固定して、余分なフィルムを取り除いた。パン表面を覆うフィルムは、８０ｍｍの直径を有していた。
【０１３１】
温度は２０℃に固定した。相対湿度（ＲＨ）を６時間で３５％に設定し、次いで５分で５０％に徐々に上げた。ＲＨは１２時間で５０％であった。測定の合計持続時間は１８時間であった。
【０１３２】
サイクル時間（＝各パンを測定する間の時間）を１０分に設定し、ＤＶＳは各重量結果を時間に対して記録し、自動的に％Ｄｍ（相対重量変化対フィルムの開始重量、すなわち、１０％は、出発フィルム重量に対して１０％のフィルム重量増加を反映する）。
【０１３３】
水用量（または、２０℃で１２時間の一定時間中に５０％ＲＨサイクルにわたって得られた％Ｄｍ）を、５０％のＲＨにおける％Ｄｍの値（５０％ＲＨで測定した最後の値）から３５％のＲＨにおける％Ｄｍ（５０％ＲＨまで上がる前の最後の値）を差し引いた差によって算出した。
【０１３４】
溶解および崩壊試験（ＭＳＴＭ  ２０５）
フィルムは、当該技術分野で周知され、ＵＳ２０１６００２４４４６で論じられている方法、ＭｏｎｏＳｏｌ試験方法２０５（ＭＳＴＭ  ２０５）に従う溶解時間および崩壊時間を特徴とし得るか、またはそれらを試験され得る。
【実施例】
【０１３５】
以下の単位用量物品を調製し、本明細書に記載のプロトコルに従って単位用量物品強度、封止不良、およびパウチ溶解について試験する。本発明の範囲外の比較単位用量物品（複数可）は、単一フィルムタイプから調製されるが、本発明による単位用量物品の例は、ホモポリマーの分子量が異なる２つの異なるフィルムから調製される。
【０１３６】
４１ｍｍ×４３ｍｍのフットプリント、２０．１ｍｍの空洞深さ、および２５ｍｌの空洞容積を有する多区画の水溶性単位用量物品は、熱／真空成形によって作製される。デュアルフィルムの例では、単位用量の物品フィルムＡは真空下で変形されるが、一方フィルムＢは閉鎖フィルムとして使用される。Ｆａｉｒｙ  ｎｏｎ−Ｂｉｏスリーインワン水溶性単位用量物品の底部区画において、２０１６年１月に英国で市販されている標準的な洗剤組成物を、これらの単一区画単位用量物品の中に封入した。
【０１３７】
以下の表１は、比較および例示的な単位用量物品を調製するために使用されるフィルム組成物の詳細を示す。
【表２】
2019525874.tif 000003
【０１３８】
以下の表２は、本明細書に記載の試験プロトコルによって得られた、比較例および実施例の単位用量物品のパウチ強度、封止不良、およびパウチ溶解の結果をまとめたものである。２つの異なる水溶性フィルム（ポリビニルアルコールホモポリマーの分子量が異なる）を含む本発明によるパウチは、単一のタイプのフィルムから作製されている比較例のパウチと比較して、優れたパウチ強度、封止不良、およびパウチ溶解プロファイルを示している。
【表３】
2019525874.tif 000004
【０１３９】
いずれの相互参照または関連特許もしくは出願、ならびに本願がその優先権または利益を主張するいずれの特許出願または特許を含む、本明細書で引用されるすべての文献は、明示的に除外または限定されない限り、その全体が参照により本明細書に組み込まれる。いかなる文献の引用も、本明細書において開示もしくは特許請求される任意の発明に関する先行技術であること、またはそれ単独で、もしくはあらゆる他の参考文献（複数可）との任意の組み合わせで、このような任意の発明を教示、示唆、もしくは開示することを認めるものではない。さらに、本明細書中の用語のいずれの意味または定義が、参照により組み込まれる文献中の同じ用語のいずれの意味または定義と矛盾する限りでは、本明細書中でその用語に割り当てられた意味または定義が適用される。
【０１４０】
本発明の特定の実施形態を例示し、説明してきたが、本発明の主旨および範囲から逸脱することなく、様々な他の変更および修正を行うことができることは、当業者には明らかであろう。したがって、添付の特許請求の範囲において、本発明の範囲内にあるこのようなすべての変更および修正を包含することが意図される。
【図１】
2019525874.tif 000005
【図２】
2019525874.tif 000006
【図３】
2019525874.tif 000007
【国際調査報告】
2019525874.tif 000008
2019525874.tif 000009